(57)【特許請求の範囲】
【請求項１】
第１の単位バンド及び第２の単位バンドを用いて基地局装置と通信し、下り回線データに対する誤り検出結果に対して、空間バンドリング及び時間領域バンドリングを含むバンドリングを行って生成される応答信号を前記基地局装置へ通知する端末装置であって、
前記第１の単位バンド及び前記第２の単位バンドで下り回線データをそれぞれ受信する受信手段と、
各下り回線データの誤りを検出する誤り検出手段と、
前記第１の単位バンドと前記第２の単位バンドとの間の誤り検出結果のビット数の比率に基づいて、誤り検出手段で得られる各下り回線データの誤り検出結果のビット総数が、前記応答信号の通知ビット数となるように、前記誤り検出結果に対してバンドリングを行って、前記応答信号を生成する生成手段と、
を具備する端末装置。
【請求項２】
前記生成手段は、空間バンドリング後、かつ、時間領域バンドリング前における、前記第１の単位バンドと前記第２の単位バンドとの間の誤り検出結果のビット数の比率に基づいて、前記第１の単位バンドの誤り検出結果及び前記第２の単位バンドの誤り検出結果に対して時間領域バンドリングを単位バンド毎に行う、
請求項１記載の端末装置。
【請求項３】
前記生成手段は、空間バンドリング直後の前記第１の単位バンドにおける誤り検出結果の第１のビット数と、空間バンドリング直後の前記第２の単位バンドにおける誤り検出結果の第２のビット数との比率に基づいて、時間領域バンドリング後の前記第１の単位バンドにおける誤り検出結果の第３のビット数、及び、時間領域バンドリング後の前記第２の単位バンドにおける誤り検出結果の第４のビット数をそれぞれ決定し、
前記通知ビット数に占める前記第３のビット数と前記第４のビット数との比率は、前記第１のビット数と前記第２のビット数との比率に近似する自然数であり、前記第１のビット数に対する前記第３のビット数の比率と、前記第２のビット数に対する前記第４のビット数の比率との差分が最小となり、前記第３のビット数と前記第４のビット数との合計が前記通知ビット数と同数となる、
請求項２記載の端末装置。
【請求項４】
前記生成手段は、空間バンドリング直後の前記第１の単位バンドにおける誤り検出結果、及び、空間バンドリング直後の前記第２の単位バンドにおける誤り検出結果に対して、時間領域バンドリング及び周波数領域バンドリングを全単位バンドに渡って行い、
前記通知ビット数における、前記第１の単位バンドの誤り検出結果に対応するビット数と前記第２の単位バンドの誤り検出結果に対応するビット数との比率は、空間バンドリング直後の前記第１の単位バンドにおける誤り検出結果のビット数と、空間バンドリング直後の前記第２の単位バンドにおける誤り検出結果のビット数との比率と同一である、
請求項１記載の端末装置。
【請求項５】
前記生成手段は、バンドリング前における、前記第１の単位バンドと前記第２の単位バンドとの間の誤り検出結果のビット数の比率に基づいて、前記第１の単位バンドの誤り検出結果及び前記第２の単位バンドの誤り検出結果に対してバンドリングを単位バンド毎に行う、
請求項１記載の端末装置。
【請求項６】
前記生成手段は、バンドリング前の前記第１の単位バンドにおける誤り検出結果の第１のビット数と、バンドリング前の前記第２の単位バンドにおける誤り検出結果の第２のビット数との比率に基づいて、バンドリング後の前記第１の単位バンドにおける誤り検出結果の第３のビット数、及び、バンドリング後の前記第２の単位バンドにおける誤り検出結果の第４のビット数をそれぞれ決定し、
前記通知ビット数に占める前記第３のビット数と前記第４のビット数との比率は、前記第１のビット数と前記第２のビット数との比率に近似する自然数であり、前記第１のビット数に対する前記第３のビット数の比率と、前記第２のビット数に対する前記第４のビット数の比率との差分が最小となり、前記第３のビット数と前記第４のビット数との合計が前記通知ビット数と同数となる、
請求項５記載の端末装置。
【請求項７】
前記生成手段は、バンドリング前の前記第１の単位バンドにおける誤り検出結果、及び、バンドリング前の前記第２の単位バンドにおける誤り検出結果に対して、空間バンドリング、時間領域バンドリング及び周波数領域バンドリングを全単位バンドに渡って行い、
前記通知ビット数における、前記第１の単位バンドの誤り検出結果に対応するビット数と前記第２の単位バンドの誤り検出結果に対応するビット数との比率は、バンドリング前の前記第１の単位バンドにおける誤り検出結果の第１のビット数と、バンドリング前の前記第２の単位バンドにおける誤り検出結果の第２のビット数との比率と同一である、
請求項１記載の端末装置。
【請求項８】
第１の単位バンド及び第２の単位バンドを用いて基地局装置と通信し、下り回線データに対する誤り検出結果に対して、空間バンドリング及び時間領域バンドリングを含むバンドリングを行って生成される応答信号を前記基地局装置へ通知する端末装置において、
前記第１の単位バンド及び前記第２の単位バンドで下り回線データをそれぞれ受信し、
各下り回線データの誤りを検出し、
前記第１の単位バンドと前記第２の単位バンドとの間の誤り検出結果のビット数の比率に基づいて、誤り検出手段で得られる各下り回線データの誤り検出結果のビット総数が、前記応答信号の通知ビット数となるように、前記誤り検出結果に対してバンドリングを行って、前記応答信号を生成する、
応答信号生成方法。
【発明の詳細な説明】
【技術分野】
【０００１】
本発明は、端末装置及び応答信号送信方法に関する。
【背景技術】
【０００２】
３ＧＰＰ ＬＴＥでは、下り回線の通信方式としてＯＦＤＭＡ（Orthogonal Frequency Division Multiple Access）が採用されている。３ＧＰＰ ＬＴＥが適用された無線通信システムでは、基地局が予め定められた通信リソースを用いて同期信号（Synchronization Channel：ＳＣＨ）及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ（例えば、周波数帯域幅など）を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ（Physical Downlink Control Channel）等の下り回線制御チャネルを介して制御情報を送信する。【０００４】
そして、端末は、受信したＰＤＣＣＨ信号に含まれる複数の制御情報（下り回線割当制御情報：DL Assignment（Downlink Control Information：ＤＣＩと呼ばれることもある））をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号。以下、単に「Ａ／Ｎ」と表記することもある)のフィードバックには、ＰＵＣＣＨ（Physical Uplink Control Channel）等の上り回線制御チャネルが用いられる。【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数（２，４，８個）のＣＣＥから構成される場合には、そのＬ１／Ｌ２ＣＣＨには偶数のインデックスを持つＣＣＥを起点とする連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
また、ここで、各ＣＣＥは、ＰＵＣＣＨの構成リソース（以下、ＰＵＣＣＨリソースと呼ぶことがある）と１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを特定し、このリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一番インデックスが小さいＣＣＥに対応するＰＵＣＣＨ構成リソース（すなわち、偶数番号のＣＣＥインデックスを持つＣＣＥに対応付けられたＰＵＣＣＨ構成リソース）を利用して、応答信号を基地局へ送信する。こうして下り回線の通信リソースが効率良く使用される。【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ（Discrete Fourier Transform）系列によって拡散され、ＰＵＣＣＨ内でコード多重されている。図１において（Ｗ０,Ｗ１,Ｗ２,Ｗ３）は系列長４のウォルシュ系列を表し、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボルに対応する周波数成分へ１次拡散される。すなわち、系列長１２のＺＡＣ系列に対して複素数で表される応答信号成分が乗算される。次いで１次拡散後の応答信号及び参照信号としてのＺＡＣ系列がウォルシュ系列（系列長４：Ｗ０〜Ｗ３。ウォルシュ符号系列（Walsh Code Sequence）と呼ばれることもある）、ＤＦＴ系列（系列長３：Ｆ０〜Ｆ３）それぞれに対応させられて２次拡散される。すなわち、系列長１２の信号（１次拡散後の応答信号、又は、参照信号としてのＺＡＣ系列（Reference Signal Sequence）のそれぞれの成分に対して、直交符号系列（Orthogonal sequence：ウォルシュ系列又はＤＦＴ系列）の各成分が乗算される。さらに、２次拡散された信号が、ＩＦＦＴ（Inverse Fast Fourier Transform）によって時間軸上の系列長１２の信号に変換される。そして、ＩＦＦＴ後の信号それぞれに対しＣＰが付加され、７つのＳＣ−ＦＤＭＡシンボルからなる１スロットの信号が形成される。【０００９】
異なる端末からの応答信号同士は、異なる巡回シフト量（Cyclic Shift Index）に対応するＺＡＣ系列、又は、異なる系列番号（Orthogonal Cover Index : OC index）に対応する直交符号系列を用いて拡散されている。直交符号系列は、ウォルシュ系列とＤＦＴ系列との組である。また、直交符号系列はブロックワイズ拡散コード系列（Block-wise spreading code）と称されることもある。従って、基地局は、従来の逆拡散及び相関処理を用いることにより、これらコード多重された複数の応答信号を分離することができる（非特許文献４参照）。【００１０】
ただし、各端末が各サブフレームにおいて自分宛の下り回線割当制御信号をブラインド判定するので、端末側では、必ずしも下り回線割当制御信号の受信が成功するとは限らない。端末が或る下り単位バンドにおける自分宛の下り回線割当制御信号の受信に失敗した場合、端末は、当該下り単位バンドにおいて自分宛の下り回線データが存在するか否かさえも知り得ない。従って、或る下り単位バンドにおける下り回線割当制御信号の受信に失敗した場合、端末は、当該下り単位バンドにおける下り回線データに対する応答信号も生成しない。このエラーケースは、端末側で応答信号の送信が行われないという意味での、応答信号のＤＴＸ（DTX (Discontinuous transmission) of ACK/NACK signals）として定義されている。【００１１】
ところで、３ＧＰＰ ＬＴＥシステム（以下、「ＬＴＥシステム」と呼ばれることがある）では、基地局は上り回線データ及び下り回線データに対してそれぞれ独立にリソース割当を行う。そのため、ＬＴＥシステムでは、上り回線において、端末（つまり、ＬＴＥシステム対応の端末（以下、「ＬＴＥ端末」という））が、下り回線データに対する応答信号と、上り回線データとを同時に送信しなければならない状況が発生する。この状況では、端末からの応答信号及び上り回線データは、時間多重（Time Division Multiplexing：ＴＤＭ）を用いて送信される。このように、ＴＤＭを用いて応答信号と上り回線データとを同時に送信することで、端末の送信波形のシングルキャリア特性（Single carrier properties）を維持している。【００１２】
また、図２に示すように、時間多重（ＴＤＭ）では、端末から送信される応答信号（「Ａ／Ｎ」）は、上り回線データ向けに割り当てられたリソース（ＰＵＳＣＨ（Physical Uplink Shared CHannel）リソース）の一部（参照信号（ＲＳ（Reference Signal））がマッピングされるＳＣ−ＦＤＭＡシンボルに隣接するＳＣ−ＦＤＭＡシンボルの一部）を占有して基地局に送信される。ただし、図２における縦軸の「Subcarrier」は「Virtual subcarrier」、又は「Time contiguous signal」と呼ばれることもあり、ＳＣ−ＦＤＭＡ送信機においてＤＦＴ（Discrete Fourier Transform）回路に纏めて入力される「時間的に連続する信号」を便宜上「subcarrier」として表したものである。すなわち、ＰＵＳＣＨリソースでは、応答信号によって、上り回線データのうちの任意のデータがパンクチャ（puncture）される。このため、符号化後の上り回線データの任意のビットがパンクチャされることで、上り回線データの品質（例えば、符号化利得）が大幅に劣化する。そのため、基地局は、例えば、端末に対して非常に低い符号化率を指示したり、非常に大きな送信電力を指示したりすることで、パンクチャによる上り回線データの品質劣化を補償する。【００１３】
また、３ＧＰＰ ＬＴＥよりも更なる通信の高速化を実現する３ＧＰＰ ＬＴＥ−Ａｄｖａｎｃｅｄの標準化が行われている。３ＧＰＰ ＬＴＥ−Ａｄｖａｎｃｅｄシステム（以下、「ＬＴＥ−Ａシステム」と呼ばれることがある）は、ＬＴＥシステムを踏襲する。３ＧＰＰ ＬＴＥ−Ａｄｖａｎｃｅｄでは、最大１Ｇｂｐｓ以上の下り回線における伝送速度を実現するために、４０ＭＨｚ以上の広帯域周波数で通信可能な基地局及び端末が導入される。【００１４】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。ＦＤＤ（Frequency Division Duplex）システムでは、さらに、下り回線における「単位バンド」（以下、「下り単位バンド」という）は基地局から報知されるＢＣＨの中の下り回線の周波数帯域情報によって区切られた帯域、又は、下り回線制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り回線の周波数帯域情報によって区切られた帯域、又は、中心付近にＰＵＳＣＨ（Physical Uplink Shared Channel）領域を含み、両端部にＬＴＥ向けのＰＵＣＣＨを含む２０ＭＨｚ以下の通信帯域の基本単位として定義されることもある。なお、「単位バンド」は、３ＧＰＰ ＬＴＥ−Ａｄｖａｎｃｅｄにおいて、英語でＣｏｍｐｏｎｅｎｔ Ｃａｒｒｉｅｒ（ｓ）又はＣｅｌｌと表記されることがある。また、略称としてＣＣ（ｓ）と表記されることもある。【００１５】
ＴＤＤ（Time Division Duplex）システムでは、下り単位バンドと上り単位バンドとが同一周波数帯域であり、時分割で下り回線と上り回線とを切り替えることによって、下り回線の通信と上り回線の通信とを実現する。そのためＴＤＤシステムの場合、下り単位バンドは、「単位バンドにおける下り回線の通信タイミング」とも表現できる。上り単位バンドは、「単位バンドにおける上り回線の通信タイミング」とも表現できる。下り単位バンドと上り単位バンドとの切り替えは、図３に示すように、UL-DL Configurationに基づいて、１フレーム（10msec）当たりの下り回線通信（ＵＬ：Uplink）と上り回線通信（ＤＬ：Downlink）とのサブフレーム単位（すなわち、1msec単位）のタイミングが設定される。UL-DL Configurationは、下り回線通信と上り回線通信とのサブフレーム割合を変更することにより、下り回線通信に対するスループット及び上り回線通信に対するスループットの要求に柔軟に対応できる通信システムを構築することができる。例えば、図３は、下り回線通信と上り回線通信とのサブフレーム割合が異なるUL-DL Configuration（Config 0〜6）を示す。また、図３において、下り回線通信サブフレームを「Ｄ」で表し、上り回線通信サブフレームを「Ｕ」で表し、スペシャルサブフレームを「Ｓ」で表す。ここで、スペシャルサブフレームは、下り回線通信サブフレームから上り回線通信サブフレームへの切替時のサブフレームである。また、スペシャルサブフレームでは、下り回線通信サブフレームと同様、下り回線データ通信が行われる場合がある。なお、図３に示す各UL-DL Configurationでは、２フレーム分のサブフレーム（２０サブフレーム）を、下り回線通信に用いられるサブフレーム（上段の「Ｄ」及び「Ｓ」）と上り回線通信に用いられるサブフレーム（下段の「Ｕ」）とに分けて２段で表している。また、図３に示すように、下り回線データに対する誤り検出結果（ＡＣＫ／ＮＡＣＫ）は、当該下り回線データが割り当てられたサブフレームの４サブフレーム以上後の上り回線通信サブフレームで通知される。【００１６】
ＬＴＥ−Ａシステムでは、単位バンドを幾つか束ねた帯域を用いた通信、所謂Carrier aggregation(CA)がサポートされる。なお、UL-DL Configurationは、単位バンド毎に設定可能であるが、ＬＴＥ−Ａシステム対応の端末（以下、「ＬＴＥ−Ａ端末」）は、複数の単位バンド間で同じUL-DL Configurationが設定されることを想定して設計されている。【００１７】
図４は、個別の端末に適用される非対称のCarrier aggregation及びその制御シーケンスの説明に供する図である。【００１８】
図４において、端末１に対しては、２つの下り単位バンドと左側の１つの上り単位バンドを用いてCarrier aggregationを行うような設定（Configuration）が為される。一方、端末２に対しては、端末１と同一の２つの下り単位バンドを用いるような設定が為されるにも拘らず、上り回線通信では右側の上り単位バンドを利用するような設定が為される。【００１９】
そして、端末１に着目すると、ＬＴＥ−Ａシステムを構成する基地局（つまり、ＬＴＥ−Ａシステム対応の基地局（以下、「ＬＴＥ−Ａ基地局」という））と端末（つまり、ＬＴＥ−Ａシステム対応の端末（以下、「ＬＴＥ−Ａ端末」という））の間では、図４（ａ）に示すシーケンス図に従って、信号の送受信が行われる。図４（ａ）に示すように、（１）端末１は、基地局との通信開始時に、左側の下り単位バンドと同期を取り、左側の下り単位バンドとペアになっている上り単位バンドの情報をＳＩＢ２（System Information Block Type 2）と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。【００２０】
また、前述のCarrier aggregationが適用されるＬＴＥ−Ａでは、端末が一度に複数の下り単位バンドにおいて複数の下り回線データを受信することがある。ＬＴＥ−Ａでは、この複数の下り回線データに対する複数の応答信号の送信方法として、Channel Selection（Multiplexingとも呼ぶ）、Bundling、及び、ＤＦＴ−Ｓ−ＯＦＤＭ（Discrete Fourier Transform spread Orthogonal Frequency Division Multiplexing）フォーマットがある。Channel Selectionでは、端末は、複数の下り回線データに関する誤り検出結果のパターンに応じて、応答信号に用いるシンボル点だけでなく、応答信号をマッピングするリソースも変化させる。これに対し、Bundlingでは、端末は、複数の下り回線データに関する誤り検出結果より生成されたＡＣＫ又はＮＡＣＫ信号をBundlingして（すなわち、ＡＣＫ＝１、ＮＡＣＫ＝０とし、複数の下り回線データに関する誤り検出結果の論理積（Logical AND)を計算して）、予め決められた一つのリソースを用いて応答信号を送信する。また、ＤＦＴ−Ｓ−ＯＦＤＭフォーマットを用いた送信時には、端末は、複数の下り回線データに対する応答信号を纏めて符号化（Joint coding）し、当該フォーマットを用いてその符号化データを送信する（非特許文献５参照）。例えば、端末は、誤り検出結果のパターンのビット数に応じて、Channel Selection、Bundling、又は、ＤＦＴ−Ｓ−ＯＦＤＭのいずれかによる応答信号（ＡＣＫ／ＮＡＣＫ）のフィードバックを行ってもよい。又は、基地局が上記応答信号の送信方法を予め設定してもよい。【００２１】
Channel Selectionは、図５に示すように、複数の下り単位バンドで受信した、下り単位バンド毎の複数の下り回線データに対する誤り検出結果がそれぞれＡＣＫかＮＡＣＫかに基づいて、応答信号の位相点（すなわち、Constellation point）だけではなく、応答信号の送信に用いるリソース（以下、「ＰＵＣＣＨリソース」と表記することもある）も変化させる手法である。これに対し、Bundlingは、複数の下り回線データに対するＡＣＫ／ＮＡＣＫ信号を一つに束ねて、予め決められた一つのリソースから送信する手法である（非特許文献６、７参照）。以下、複数の下り回線データに対するＡＣＫ／ＮＡＣＫ信号を一つに束ねた信号を束ＡＣＫ／ＮＡＣＫ信号と呼ぶことがある。【００２２】
ここで、端末がＰＤＣＣＨを介して下り回線割当制御情報を受信し、下り回線データを受信した場合における上り回線での応答信号の送信方法として、以下の２つの方法が考えられる。【００２３】
一つは、ＰＤＣＣＨが占有しているＣＣＥ（Control Channel Element）と１対１に関連付けられたＰＵＣＣＨリソースを用いて応答信号を送信する方法（Implicit signalling）である（方法１）。つまり、基地局配下の端末に向けたＤＣＩをＰＤＣＣＨ領域に配置する場合、各ＰＤＣＣＨは、１つ又は連続する複数のＣＣＥで構成されるリソースを占有する。また、ＰＤＣＣＨが占有するＣＣＥ数（ＣＣＥ連結数：CCE aggregation level）としては、例えば、割当制御情報の情報ビット数又は端末の伝搬路状態に応じて、１，２，４，８の中の１つが選択される。【００２４】
もう一つは、基地局からＰＵＣＣＨ向けのリソースを端末に対して予め通知しておく方法（Explicit signalling）である（方法２）。つまり、方法２では、端末は、基地局から予め通知されたＰＵＣＣＨリソースを用いて応答信号を送信する。【００２５】
また、図５に示すように、端末は、２つの単位バンドのうち、１つの単位バンドを用いて、応答信号を送信する。このような応答信号を送信する単位バンドは、ＰＣＣ（Primary Component Carrier）又はＰＣｅｌｌ（Primary Cell）と呼ばれる。また、それ以外の単位バンドは、ＳＣＣ（Secondary Component Carrier）又はＳＣｅｌｌ（Secondary Cell）と呼ばれる。例えば、ＰＣＣ（ＰＣｅｌｌ）は、応答信号を送信する単位バンドに関する報知情報（例えば、ＳＩＢ２（System Information Block type2））を送信している単位バンドである。【００２６】
なお、方法２では、複数の端末間で共通のＰＵＣＣＨ向けのリソース（例えば４つのＰＵＣＣＨ向けのリソース）を、基地局から端末に対して予め通知してもよい。例えば、端末は、ＳＣｅｌｌ内のＤＣＩに含まれる２ビットのＴＰＣ（Transmit Power Control）コマンド（送信電力制御命令）に基づいて、実際に用いるＰＵＣＣＨ向けのリソースを１つ選択する方法を採ってもよい。その際、当該ＴＰＣコマンドは、ＡＲＩ（Ack/nack Resource Indicator）とも呼ばれる。これにより、Explicit signalling時に、或るサブフレームにおいて、或る端末がexplicit signallingされたＰＵＣＣＨ向けのリソースを使い、別のサブフレームでは、別の端末が、同一のexplicit signallingされたＰＵＣＣＨ向けのリソースを使うことができるようになる。【００２７】
また、Channel selectionでは、ＰＣＣ（ＰＣｅｌｌ）内のＰＤＳＣＨを指示するＰＤＣＣＨが占有している、ＣＣＥの先頭ＣＣＥインデックスに１対１に関連付けられて、上り単位バンド内のＰＵＣＣＨリソース（図５ではＰＵＣＣＨ領域１内のＰＵＣＣＨリソース）が割り当てられる（Implicit signalling）。【００２８】
ここで、上記した非対称のCarrier aggregationが端末に適用される場合のChannel SelectionによるＡＲＱ制御について、図５、図６を援用して説明する。【００２９】
例えば、図５では、端末１に対して、単位バンド１（ＰＣｅｌｌ）、単位バンド２（ＳＣｅｌｌ）から成る単位バンドグループ（英語で「Component carrier set」と表記されることがある）が設定される。この場合には、単位バンド１，２のそれぞれのＰＤＣＣＨを介して下り回線リソース割当情報が基地局から端末１へ送信された後に、その下り回線リソース割当情報に対応するリソースで下り回線データが送信される。【００３０】
また、Channel selectionでは、単位バンド１（ＰＣｅｌｌ）における複数の下り回線データに対する誤り検出結果と、単位バンド２（ＳＣｅｌｌ）における複数の下り回線データに対する誤り検出結果とを表す応答信号が、ＰＵＣＣＨ領域１内又はＰＵＣＣＨ領域２内に含まれるＰＵＣＣＨリソースにマッピングされる。また、端末は、その応答信号として、２種類の位相点（ＢＰＳＫ（Binary Phase Shift Keying）マッピング）又は４種類の位相点（ＱＰＳＫ（Quadrature Phase Shift Keying）マッピング）のいずれかを用いる。すなわち、Channel selectionでは、ＰＵＣＣＨリソースと位相点との組み合わせにより、単位バンド１（ＰＣｅｌｌ）における複数の下り回線データに対する誤り検出結果、及び、単位バンド２（ＳＣｅｌｌ）における複数の下り回線データに対する誤り検出結果のパターンを表すことができる。【００３１】
ここで、ＴＤＤシステムにおいて、単位バンドが２つの場合（ＰＣｅｌｌが１つ、ＳＣｅｌｌが１つの場合）の誤り検出結果のパターンのマッピング方法を図６（ａ）に示す。【００３２】
なお、図６（ａ）は、送信モードが以下の（ａ），（ｂ），（ｃ）のいずれかに設定される場合を想定する。
（ａ）各単位バンドが、下り回線で１ＣＷ送信のみをサポートする送信モード
（ｂ）一方の単位バンドが、下り回線で１ＣＷ送信のみをサポートする送信モード、          他方の単位バンドが、下り回線で２ＣＷ送信までをサポートする送信モード
（ｃ）各単位バンドが、下り回線で２ＣＷ送信までをサポートする送信モード【００３３】
更に、図６（ａ）は、単位バンド当たりに、何個分の下り回線通信サブフレーム（以降、「ＤＬ（DownLink）サブフレーム」と記載する。図３に示す「Ｄ」又は「Ｓ」）の誤り検出結果を、１つの上り回線通信サブフレーム（以降、「ＵＬ（UpLink）サブフレーム」と記載する。図３に示す「Ｕ」）で基地局に通知する必要があるか、を表す数Ｍが、以下の（１）〜（４）のいずれかに設定される場合を想定する。一例として、図３に示すConfig 2では、４個のＤＬサブフレームの誤り検出結果が１つのＵＬサブフレームで基地局に通知されるので、Ｍ＝４となる。
（１）Ｍ＝１
（２）Ｍ＝２
（３）Ｍ＝３
（４）Ｍ＝４【００３４】
つまり、図６（ａ）は、上記（ａ）〜（ｃ）及び上記（１）〜（４）のそれぞれを組み合わせた場合の誤り検出結果のパターンのマッピング方法を示す。なお、Ｍの値は、図３に示すように、UL-DL Configuration（Config 0〜6）、及び、１フレーム内のサブフレーム番号（SF#0〜SF#9）によって異なる。また、図３に示すConfig 5では、サブフレーム（ＳＦ）＃２においてＭ＝９となる。しかし、この場合、ＬＴＥ−ＡのＴＤＤシステムでは、端末は、Channel selectionを適用せずに、例えばＤＦＴ−Ｓ−ＯＦＤＭフォーマットを用いて誤り検出結果を通知する。このため、図６（ａ）では、Config 5（Ｍ＝９）を、上記組合せに組み入れていない。【００３５】
（１）の場合、誤り検出結果のパターン数は、（ａ）、（ｂ）、（ｃ）の順に、２２×１＝４パターン、２３×１＝８パターン、２４×１＝１６パターン存在する。（２）の場合、誤り検出結果のパターン数は、（ａ）、（ｂ）、（ｃ）の順に、２２×２＝８パターン、２３×２＝１６パターン、２４×２＝３２パターン存在する。（３）、（４）の場合も同様である。【００３６】
ここで、１つのＰＵＣＣＨリソースにおいてマッピングする各位相点間の位相差が最小でも９０度である場合（すなわち、１つのＰＵＣＣＨリソースあたり最大４パターンをマッピングする場合）を想定する。この場合、誤り検出結果の全てのパターンをマッピングするために必要なＰＵＣＣＨリソース数は、誤り検出結果のパターン数が最大の（４）かつ（ｃ）の場合（２４×４＝６４パターン）に、２４×４÷４＝１６個必要になってしまい、現実的ではない。そこで、ＴＤＤシステムでは、誤り検出結果を、空間領域、さらに必要ならば、時間領域で束ねる（バンドリング：Bundling）ことで、誤り検出結果の情報量を意図的に欠落させる。これにより、誤り検出結果パターンの通知に必要なＰＵＣＣＨリソース数を制限している。【００３７】
ＬＴＥ−ＡのＴＤＤシステムでは、（１）の場合、端末は、誤り検出結果をバンドリングせずに、（ａ）、（ｂ）、（ｃ）の順に、４パターン、８パターン、１６パターンの誤り検出結果パターンを、それぞれ２つ、３つ、４つのＰＵＣＣＨリソースにマッピングする（図６（ａ）のＳｔｅｐ３）。すなわち、端末は、下り回線で１ＣＷ（コードワード：codeword）送信のみをサポートする送信モード（ｎｏｎ−ＭＩＭＯ）が設定された単位バンドあたり、１ビットの誤り検出結果を通知し、下り回線で２ＣＷ送信までをサポートする送信モード（ＭＩＭＯ）が設定された単位バンドあたり、２ビットの誤り検出結果を通知する。【００３８】
ＬＴＥ−ＡのＴＤＤシステムでは、（２）かつ（ａ）の場合も、端末は、誤り検出結果をバンドリングせずに、８パターンの誤り検出結果パターンを、４つのＰＵＣＣＨリソースにマッピングする（図６（ａ）のＳｔｅｐ３）。その際、端末は、１つの下り単位バンドあたり、２ビットの誤り検出結果を通知する。【００３９】
ＬＴＥ−ＡのＴＤＤシステムでは、（２）かつ（ｂ）（（２）かつ（ｃ）も同様）の場合、端末は、下り回線で２ＣＷ送信までをサポートする送信モードが設定された単位バンドの誤り検出結果を空間領域でバンドリング（空間バンドリング：Spatial bundling）（図６（ａ）のＳｔｅｐ１）する。空間バンドリングでは、たとえば、２ＣＷの誤り検出結果のうち、少なくとも一方のＣＷに対する誤り検出結果がＮＡＣＫである場合、空間バンドリング後の誤り検出結果をＮＡＣＫと判定する。すなわち、空間バンドリングでは、２ＣＷの誤り検出結果に対して論理ＡＮＤ（Logical And）をとる。そして、端末は、空間バンドリング後の誤り検出結果パターン（（２）かつ（ｂ）の場合は８パターン、（２）かつ（ｃ）の場合は１６パターン）を、４つのＰＵＣＣＨリソースにマッピングする（図６（ａ）のＳｔｅｐ３）。その際、端末は、１つの下り単位バンドあたり、２ビットの誤り検出結果を通知する。【００４０】
ＬＴＥ−ＡのＴＤＤシステムでは、（３）又は（４）、かつ、（ａ）、（ｂ）又は（ｃ）の場合、端末は、空間バンドリング（Ｓｔｅｐ１）後に、時間領域でバンドリング（時間領域バンドリング：Time-domain bundling）する（図６（ａ）のＳｔｅｐ２）。そして、端末は、時間領域バンドリング後の誤り検出結果パターンを、４つのＰＵＣＣＨリソースにマッピングする（図６（ａ）のＳｔｅｐ３）。その際、端末は、１つの下り単位バンドあたり、２ビットの誤り検出結果を通知する。【００４１】
次に、図６（ｂ）を用いて、具体的なマッピング方法の一例を示す。図６（ｂ）は、下り単位バンドが２つ（ＰＣｅｌｌが１つ、ＳＣｅｌｌが１つ）の場合、かつ、「（ｃ）各単位バンドが、下り回線で２ＣＷ送信までをサポートする送信モード」が設定され、かつ、「（４）Ｍ＝４」の場合の例である。【００４２】
図６（ｂ）では、ＰＣｅｌｌの誤り検出結果が、４つのＤＬサブフレーム（ＳＦ１〜４）で、（ＣＷ０，ＣＷ１）の順に、（ＡＣＫ（Ａ），ＡＣＫ）、（ＡＣＫ，ＡＣＫ）、（ＮＡＣＫ（Ｎ），ＮＡＣＫ）、（ＡＣＫ，ＡＣＫ）となる。図６（ｂ）に示すＰＣｅｌｌでは、Ｍ＝４であるので、端末は、図６（ａ）のＳｔｅｐ１で、これらを空間バンドリングする（図６（ｂ）の実線で囲んだ部分）。空間バンドリングの結果、図６（ｂ）に示すＰＣｅｌｌの４つのＤＬサブフレームでは、順にＡＣＫ、ＡＣＫ、ＮＡＣＫ、ＡＣＫが得られる。さらに、端末は、図６（ａ）のＳｔｅｐ２で、Ｓｔｅｐ１で得られた空間バンドリング後の４ビットの誤り検出結果パターン（ＡＣＫ，ＡＣＫ，ＮＡＣＫ，ＡＣＫ）に対して、時間領域バンドリングする（図６（ｂ）の破線で囲んだ部分）。これにより、図６（ｂ）に示すＰＣｅｌｌでは、（ＮＡＣＫ，ＡＣＫ）の２ビットの誤り検出結果が得られる。【００４３】
端末は、図６（ｂ）に示すＳＣｅｌｌについても同様に、空間バンドリング及び時間領域バンドリングを行うことにより、（ＮＡＣＫ，ＮＡＣＫ）の２ビットの誤り検出結果が得られる。【００４４】
そして、端末は、図６（ａ）のＳｔｅｐ３で、ＰＣｅｌｌ及びＳＣｅｌｌの時間領域バンドリング後の各２ビットの誤り検出結果パターンをＰＣｅｌｌ、ＳＣｅｌｌの順に組み合わせて、４ビットの誤り検出結果パターン（ＮＡＣＫ，ＡＣＫ，ＮＡＣＫ，ＮＡＣＫ）にまとめる。端末は、この４ビットの誤り検出結果パターンを、図６（ａ）のＳｔｅｐ３に示すマッピングテーブルを用いて、ＰＵＣＣＨリソース（この場合、ｈ１）と位相点（この場合、−ｊ）とを決定する。【００４５】
図７は、単位バンド（ＣＣ＃１，ＣＣ＃２）間のUL-DL Configurationが同じである場合の、各単位バンドにおけるＭの値と、バンドリング方法と、誤り検出結果の通知用ビット数とを示す。Ｍ＝１では、単位バンドが２ＣＷ送信までをサポートする送信モード（ＭＩＭＯ）であるのか、１ＣＷ送信のみをサポートする送信モード（ｎｏｎ−ＭＩＭＯ）であるのかに応じて、単位バンドあたりにマッピングする誤り検出結果のビット数が異なる（前者は２ビット、後者は１ビット）。このため、図７では、前者を「Ｍ＝１（ＭＩＭＯ）」、後者を「Ｍ＝１（ｎｏｎ−ＭＩＭＯ）」と記載して区別している。図７に示すＭ＝２〜４においては、単位バンドの送信モードによらず、単位バンドあたりにマッピングする誤り検出結果のビット数は２ビットである。また、単位バンド間でUL-DL Configurationが同じであるため、単位バンド間のＭの値も同一になる。そのため、図７は対角方向（ＣＣ＃１及びＣＣ＃２でＭの値が同一）の組み合わせしか存在しない。
【先行技術文献】
【非特許文献】
【００４６】
【非特許文献１】3GPP TS 36.211 V10.1.0, “Physical Channels and Modulation (Release 9),” March 2011
【非特許文献２】3GPP TS 36.212 V10.1.0, “Multiplexing and channel coding (Release 9),” March 2011
【非特許文献３】3GPP TS 36.213 V10.1.0, “Physical layer procedures (Release 9),” March 2011
【非特許文献４】Seigo Nakao, Tomofumi Takata, Daichi Imamura, and Katsuhiko Hiramatsu, “Performance enhancement of E-UTRA uplink control channel in fast fading environments,”Proceeding of IEEE VTC 2009 spring, April. 2009
【非特許文献５】Ericsson and ST-Ericsson, “A/N transmission in the uplink for carrier aggregation,” R1-100909, 3GPP TSG-RAN WG1 #60, Feb. 2010
【非特許文献６】ZTE, 3GPP RAN1 meeting #57, R1-091702, “Uplink Control Channel Design for LTE-Advanced,” May 2009
【非特許文献７】Panasonic, 3GPP RAN1 meeting #57, R1-091744, “UL ACK/NACK transmission on PUCCH for Carrier aggregation,” May 2009
【発明の概要】
【発明が解決しようとする課題】
【００４７】
ＬＴＥ−Ａ端末は、前述のとおり、複数の単位バンド間で同じUL-DL Configurationが設定されることを想定して設計されている。【００４８】
ところで、ＬＴＥ−ＡのＴＤＤシステムを提供する通信キャリアが、周波数帯域を新たにＬＴＥ−Ａサービスに割り当てる際、当該通信キャリアがどのサービスを重視するかに応じて、新たに割り当てた周波数帯域のUL-DL Configurationを、既存の周波数帯域のUL-DL Configurationと異ならせることが検討されている。具体的には、下り回線通信のスループットを重視する通信キャリアでは、新たな周波数帯域に、ＵＬサブフレームに対するＤＬサブフレームの割合が大きいUL-DL Configuration（例えば図３では、Config 3、4又は5等）が用いられる。これにより、より柔軟なシステム構築が行われる。【００４９】
しかしながら、単位バンド間でUL-DL Configurationが異なる場合、つまり、単位バンド間で「Ｍ」の値が異なる場合の誤り検出結果のバンドリング方法については、これまで検討されてこなかった。【００５０】
本発明の目的は、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果を束ねる（バンドリングする）ことにより、誤り検出結果を正しく送受信することができる端末装置及び応答信号送信方法を提供することである。
【課題を解決するための手段】
【００５１】
本発明の一態様に係る端末装置は、第１の単位バンド及び第２の単位バンドを用いて基地局装置と通信し、下り回線データに対する誤り検出結果に対して、空間バンドリング及び時間領域バンドリングを含むバンドリングを行って生成される応答信号を前記基地局装置へ通知する端末装置であって、前記第１の単位バンド及び前記第２の単位バンドで下り回線データをそれぞれ受信する受信手段と、各下り回線データの誤りを検出する誤り検出手段と、前記第１の単位バンドと前記第２の単位バンドとの間の誤り検出結果のビット数の比率に基づいて、誤り検出手段で得られる各下り回線データの誤り検出結果のビット総数が、前記応答信号の通知ビット数となるように、前記誤り検出結果に対してバンドリングを行って、前記応答信号を生成する生成手段と、を具備する構成を採る。【００５２】
本発明の一態様に係る応答信号生成方法は、第１の単位バンド及び第２の単位バンドを用いて基地局装置と通信し、下り回線データに対する誤り検出結果に対して、空間バンドリング及び時間領域バンドリングを含むバンドリングを行って生成される応答信号を前記基地局装置へ通知する端末装置において、前記第１の単位バンド及び前記第２の単位バンドで下り回線データをそれぞれ受信し、各下り回線データの誤りを検出し、前記第１の単位バンドと前記第２の単位バンドとの間の誤り検出結果のビット数の比率に基づいて、誤り検出手段で得られる各下り回線データの誤り検出結果のビット総数が、前記応答信号の通知ビット数となるように、前記誤り検出結果に対してバンドリングを行って、前記応答信号を生成する。
【発明の効果】
【００５３】
本発明によれば、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果を束ねる（バンドリングする）ことにより、誤り検出結果を正しく送受信することができる。
【図面の簡単な説明】
【００５４】
【図１】応答信号及び参照信号の拡散方法を示す図
【図２】ＰＵＳＣＨリソースにおける応答信号及び上り回線データのＴＤＭの適用に関わる動作を示す図
【図３】ＴＤＤにおけるUL-DL Configurationの説明に供する図
【図４】個別の端末に適用される非対称のCarrier aggregation及びその制御シーケンスの説明に供する図
【図５】Channel Selectionの説明に供する図
【図６】ＴＤＤにおけるバンドリング方法及びマッピング方法の説明に供する図
【図７】ＴＤＤにおけるバンドリング方法及びマッピング方法の説明に供する表
【図８】本発明の実施の形態１に係る端末の主要構成を示すブロック図
【図９】本発明の実施の形態１に係る基地局の構成を示すブロック図
【図１０】本発明の実施の形態１に係る端末の構成を示すブロック図
【図１１】本発明の実施の形態１に係るバンドリング処理の一例を示す図
【図１２】本発明の実施の形態１に係る空間バンドリングの説明に供する図
【図１３】本発明の実施の形態１に係る時間領域バンドリングの説明に供する図
【図１４】本発明の実施の形態１に係る時間領域バンドリングの説明に供する図
【図１５】本発明の実施の形態２に係るバンドリング処理の一例を示す図
【図１６】本発明の実施の形態２に係るバンドリングの説明に供する図
【図１７】本発明の実施の形態３に係るバンドリング処理の一例を示す図
【図１８】本発明の実施の形態３に係るバンドリングの説明に供する図
【図１９】本発明の実施の形態４に係るバンドリング処理の一例を示す図
【図２０】本発明の実施の形態４に係るバンドリングの説明に供する図
【図２１】本発明の実施の形態５に係るバンドリングの説明に供する図
【図２２】本発明の実施の形態５に係るバンドリング処理の一例を示す図
【図２３】本発明のバリエーションに係るバンドリングの説明に供する図
【発明を実施するための形態】
【００５５】
以下、本発明の各実施の形態について図面を参照して詳細に説明する。なお、実施の形態において、同一の構成要素には同一の符号を付し、その説明は重複するので省略する。
【００５６】
（実施の形態１）
図８は、本実施の形態に係る端末２００の主要構成図である。端末２００は、第１の単位バンド及び第２の単位バンドを含む複数の単位バンドを用いて基地局１００と通信し、下り回線データに対する誤り検出結果に対して、空間バンドリング及び時間領域バンドリングを含むバンドリングを行って基地局１００へ通知する。端末２００において、抽出部２０４は、第１の単位バンド及び第２の単位バンドで下り回線データを抽出する。これにより、端末２００において、下り回線データは受信される。ＣＲＣ部２１１は、各下り回線データの誤りを検出し、応答信号生成部２１２は、第１の単位バンドと第２の単位バンドとの間の誤り検出結果のビット数の比率に基づいて、ＣＲＣ部２１１で得られる各下り回線データの誤り検出結果のビット総数が、応答信号の通知ビット数となるように、誤り検出結果に対してバンドリングを行って、応答信号を生成する。
【００５７】
［基地局の構成］
図９は、本実施の形態に係る基地局１００の構成を示すブロック図である。図９において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ（Inverse Fast Fourier Transform）部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、Ａ／Ｎ判定部１１８と、束Ａ／Ｎ逆拡散部１１９と、ＩＤＦＴ（Inverse Discrete Fourier Transform）部１２０と、束Ａ／Ｎ判定部１２１と、再送制御信号生成部１２２とを有する。
【００５８】
制御部１０１は、リソース割当対象端末（以下「宛先端末」又は単に「端末」ともいう）２００に対して、制御情報を送信するための下り回線リソース（つまり、下り回線制御情報割当リソース）、及び、下り回線データを送信するための下り回線リソース（つまり、下り回線データ割当リソース）を割り当てる（Assignする）。このリソース割当は、リソース割当対象端末２００に設定される単位バンドグループに含まれる下り単位バンドにおいて行われる。また、下り回線制御情報割当リソースは、各下り単位バンドにおける下り回線制御チャネル（ＰＤＣＣＨ）に対応するリソース内で選択される。また、下り回線データ割当リソースは、各下り単位バンドにおける下り回線データチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００５９】
下り回線制御情報割当リソースは、上記したＬ１／Ｌ２ＣＣＨと同等である。すなわち、下り回線制御情報割当リソースは、１つ又は複数のＣＣＥから構成される。
【００６０】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り回線制御情報割当リソースが、制御部１０１によって割り当てられる。
【００６１】
そして、制御部１０１は、制御情報生成部１０２に対して、下り回線データ割当リソースに関する情報を出力する。また、制御部１０１は、符号化部１０３に対して、符号化率に関する情報を出力する。また、制御部１０１は、送信データ（つまり、下り回線データ）の符号化率を決定し、符号化部１０５に出力する。また、制御部１０１は、下り回線データ割当リソース及び下り回線制御情報割当リソースに関する情報をマッピング部１０８に対して出力する。ただし、制御部１０１は下り回線データと当該下り回線データに対する下り回線制御情報を同一の下り単位バンドにマッピングするよう制御する。
【００６２】
制御情報生成部１０２は、下り回線データ割当リソースに関する情報を含む制御情報を生成して符号化部１０３へ出力する。この制御情報は下り単位バンド毎に生成される。また、リソース割当対象端末２００が複数有る場合に、リソース割当対象端末２００同士を区別するために、制御情報には、宛先端末２００の端末ＩＤが含まれる。例えば、宛先端末２００の端末ＩＤでマスキングされたＣＲＣビットが制御情報に含まれる。この制御情報は、「下り回線割当制御情報（Control information carrying downlink assignment）」又は「Downlink Control Information（ＤＣＩ）」と呼ばれることがある。
【００６３】
符号化部１０３は、制御部１０１から受け取る符号化率に従って、制御情報を符号化し、符号化された制御情報を変調部１０４へ出力する。
【００６４】
変調部１０４は、符号化後の制御情報を変調し、得られた変調信号をマッピング部１０８へ出力する。
【００６５】
符号化部１０５は、宛先端末２００毎の送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００６６】
データ送信制御部１０６は、初回送信時には、符号化後の送信データを保持すると共に変調部１０７へ出力する。符号化後の送信データは、宛先端末２００毎に保持される。また、１つの宛先端末２００への送信データは、送信される下り単位バンド毎に保持される。これにより、宛先端末２００に送信されるデータ全体の再送制御だけでなく、下り単位バンド毎の再送制御も可能になる。
【００６７】
また、データ送信制御部１０６は、再送制御信号生成部１２２から或る下り単位バンドで送信した下り回線データに対するＮＡＣＫ又はＤＴＸを受け取ると、この下り単位バンドに対応する保持データを変調部１０７へ出力する。データ送信制御部１０６は、再送制御信号生成部１２２から或る下り単位バンドで送信した下り回線データに対するＡＣＫを受け取ると、この下り単位バンドに対応する保持データを削除する。
【００６８】
変調部１０７は、データ送信制御部１０６から受け取る符号化後の送信データを変調し、変調信号をマッピング部１０８へ出力する。
【００６９】
マッピング部１０８は、制御部１０１から受け取る下り回線制御情報割当リソースの示すリソースに、変調部１０４から受け取る制御情報の変調信号をマッピングし、ＩＦＦＴ部１０９へ出力する。
【００７０】
また、マッピング部１０８は、制御部１０１から受け取る下り回線データ割当リソース（すなわち、制御情報に含まれる情報）の示すリソース（ＰＤＳＣＨ（下り回線データチャネル））に、変調部１０７から受け取る送信データの変調信号をマッピングし、ＩＦＦＴ部１０９へ出力する。
【００７１】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ（Digital to Analog）変換、増幅及びアップコンバート等の送信処理が施され、アンテナを介して端末２００へ送信される。
【００７２】
無線受信部１１２は、端末２００から送信された上り回線の応答信号又は参照信号を、アンテナを介して受信し、上り回線の応答信号又は参照信号に対しダウンコンバート、Ａ／Ｄ変換等の受信処理を行う。
【００７３】
ＣＰ除去部１１３は、受信処理後の上り回線の応答信号又は参照信号に付加されているＣＰを除去する。
【００７４】
ＰＵＣＣＨ抽出部１１４は、受信信号に含まれるＰＵＣＣＨ信号から、予め端末２００に通知してある束ＡＣＫ／ＮＡＣＫリソースに対応するＰＵＣＣＨ領域の信号を抽出する。ここで、束ＡＣＫ／ＮＡＣＫリソースとは、前述したように、束ＡＣＫ／ＮＡＣＫ信号が送信されるべきリソースであり、ＤＦＴ−Ｓ−ＯＦＤＭフォーマット構成を採るリソースである。具体的には、ＰＵＣＣＨ抽出部１１４は、束ＡＣＫ／ＮＡＣＫリソースに対応するＰＵＣＣＨ領域のデータ部分（すなわち、束ＡＣＫ／ＮＡＣＫ信号が配置されているＳＣ−ＦＤＭＡシンボル）と参照信号部分（すなわち、束ＡＣＫ／ＮＡＣＫ信号を復調するための参照信号が配置されているＳＣ−ＦＤＭＡシンボル）を抽出する。ＰＵＣＣＨ抽出部１１４は、抽出したデータ部分を束Ａ／Ｎ逆拡散部１１９に出力し、参照信号部分を逆拡散部１１５−１に出力する。
【００７５】
また、ＰＵＣＣＨ抽出部１１４は、受信信号に含まれるＰＵＣＣＨ信号から、下り回線割当制御情報（ＤＣＩ）の送信に用いられたＰＤＣＣＨが占有していたＣＣＥに対応付けられているＡ／Ｎリソース及び予め端末２００に通知してある複数のＡ／Ｎリソースに対応する複数のＰＵＣＣＨ領域を抽出する。ここで、Ａ／Ｎリソースとは、Ａ／Ｎが送信されるべきリソースである。具体的には、ＰＵＣＣＨ抽出部１１４は、Ａ／Ｎリソースに対応するＰＵＣＣＨ領域のデータ部分（上り回線制御信号が配置されているＳＣ−ＦＤＭＡシンボル）と参照信号部分（上り回線制御信号を復調するための参照信号が配置されているＳＣ−ＦＤＭＡシンボル）を抽出する。そして、ＰＵＣＣＨ抽出部１１４は、抽出したデータ部分及び参照信号部分の両方を、逆拡散部１１５−２に出力する。このようにして、ＣＣＥに関連付けられたＰＵＣＣＨリソース及び端末２００に対して通知した特定のＰＵＣＣＨリソースの中から選択されたリソースで応答信号が受信される。
【００７６】
系列制御部１１６は、端末２００から通知されるＡ／Ｎ、Ａ／Ｎに対する参照信号、及び、束ＡＣＫ／ＮＡＣＫ信号に対する参照信号のそれぞれの拡散に用いられる可能性があるBase sequence（すなわち、系列長１２のＺＡＣ系列）を生成する。また、系列制御部１１６は、端末２００が用いる可能性のあるＰＵＣＣＨリソースにおいて、参照信号が配置され得るリソース（以下「参照信号リソース」という）に対応する相関窓をそれぞれ特定する。そして、系列制御部１１６は、束ＡＣＫ／ＮＡＣＫリソースにおいて参照信号が配置され得る参照信号リソースに対応する相関窓を示す情報及びBase sequenceを相関処理部１１７−１に出力する。系列制御部１１６は、参照信号リソースに対応する相関窓を示す情報及びBase sequenceを、相関処理部１１７−１に出力する。また、系列制御部１１６は、Ａ／Ｎ及びＡ／Ｎに対する参照信号が配置されるＡ／Ｎリソースに対応する相関窓を示す情報及びBase sequenceを相関処理部１１７−２に出力する。
【００７７】
逆拡散部１１５−１及び相関処理部１１７−１は、束ＡＣＫ／ＮＡＣＫリソースに対応するＰＵＣＣＨ領域から抽出された参照信号の処理を行う。
【００７８】
具体的には、逆拡散部１１５−１は、端末２００が束ＡＣＫ／ＮＡＣＫリソースの参照信号において２次拡散に用いるべきウォルシュ系列で参照信号部分を逆拡散し、逆拡散後の信号を相関処理部１１７−１に出力する。
【００７９】
相関処理部１１７−１は、参照信号リソースに対応する相関窓を示す情報及びBase sequenceを用いて、逆拡散部１１５−１から入力される信号と、端末２００において１次拡散に用いられる可能性のあるBase sequenceとの相関値を求める。そして、相関処理部１１７−１は、相関値を束Ａ／Ｎ判定部１２１に出力する。
【００８０】
逆拡散部１１５−２及び相関処理部１１７−２は、複数のＡ／Ｎリソースに対応する複数のＰＵＣＣＨ領域から抽出された参照信号及びＡ／Ｎの処理を行う。
【００８１】
具体的には、逆拡散部１１５−２は、端末２００が各Ａ／Ｎリソースのデータ部分及び参照信号部分において２次拡散に用いるべきウォルシュ系列及びＤＦＴ系列でデータ部分及び参照信号部分を逆拡散し、逆拡散後の信号を相関処理部１１７−２に出力する。
【００８２】
相関処理部１１７−２は、各Ａ／Ｎリソースに対応する相関窓を示す情報及びBase sequenceを用いて、逆拡散部１１５−２から入力される信号と、端末２００において１次拡散に用いられる可能性のあるBase sequenceとの相関値をそれぞれ求める。そして、相関処理部１１７−２は、それぞれの相関値をＡ／Ｎ判定部１１８に出力する。
【００８３】
Ａ／Ｎ判定部１１８は、相関処理部１１７−２から入力される複数の相関値に基づいて、端末２００からどのＡ／Ｎリソースを用いて信号が送信されているか、若しくは、いずれのＡ／Ｎリソースも用いられていないかを判定する。そして、Ａ／Ｎ判定部１１８は、端末２００からいずれかのＡ／Ｎリソースを用いて信号が送信されていると判定した場合、参照信号に対応する成分及びＡ／Ｎに対応する成分を用いて同期検波を行い、同期検波の結果を再送制御信号生成部１２２に出力する。一方、Ａ／Ｎ判定部１１８は、端末２００がいずれのＡ／Ｎリソースも用いていないと判定した場合には、Ａ／Ｎリソースが用いられていない旨を再送制御信号生成部１２２に出力する。なお、Ａ／Ｎ判定部１１８において、送信された複数のＡ／Ｎを正しく判定できるようにするための、端末２００におけるバンドリング方法の詳細については、後述する。
【００８４】
束Ａ／Ｎ逆拡散部１１９は、ＰＵＣＣＨ抽出部１１４から入力される束ＡＣＫ／ＮＡＣＫリソースのデータ部分に対応する束ＡＣＫ／ＮＡＣＫ信号をＤＦＴ系列によって逆拡散し、その信号をＩＤＦＴ部１２０に出力する。
【００８５】
ＩＤＦＴ部１２０は、束Ａ／Ｎ逆拡散部１１９から入力される周波数領域上の束ＡＣＫ／ＮＡＣＫ信号を、ＩＤＦＴ処理によって時間領域上の信号に変換し、時間領域上の束ＡＣＫ／ＮＡＣＫ信号を束Ａ／Ｎ判定部１２１に出力する。
【００８６】
束Ａ／Ｎ判定部１２１は、ＩＤＦＴ部１２０から入力される束ＡＣＫ／ＮＡＣＫリソースのデータ部分に対応する束ＡＣＫ／ＮＡＣＫ信号を、相関処理部１１７−１から入力される束ＡＣＫ／ＮＡＣＫ信号の参照信号情報を用いて復調する。また、束Ａ／Ｎ判定部１２１は、復調後の束ＡＣＫ／ＮＡＣＫ信号を復号し、復号結果を束Ａ／Ｎ情報として再送制御信号生成部１２２に出力する。ただし、束Ａ／Ｎ判定部１２１は、相関処理部１１７−１から入力される相関値が閾値よりも小さく、端末２００から束Ａ／Ｎリソースを用いて信号が送信されていないと判定した場合には、その旨を再送制御信号生成部１２２に出力する。
【００８７】
再送制御信号生成部１２２は、束Ａ／Ｎ判定部１２１から入力される情報、及び、Ａ／Ｎ判定部１１８から入力される情報に基づいて、下り単位バンドで送信したデータ（下り回線データ）を再送すべきか否かを判定し、判定結果に基づいて再送制御信号を生成する。具体的には、再送制御信号生成部１２２は、或る下り単位バンドで送信した下り回線データに対して再送する必要があると判断した場合には、当該下り回線データの再送命令を示す再送制御信号を生成して、再送制御信号をデータ送信制御部１０６へ出力する。また、再送制御信号生成部１２２は、或る下り単位バンドで送信した下り回線データに対して再送する必要が無いと判断した場合には、当該下り単位バンドで送信した下り回線データを再送しないことを示す再送制御信号を生成して、再送制御信号をデータ送信制御部１０６へ出力する。
【００８８】
［端末の構成］
図１０は、本実施の形態に係る端末２００の構成を示すブロック図である。図１０において、端末２００は、無線受信部２０１と、ＣＰ除去部２０２と、ＦＦＴ（Fast Fourier Transform）部２０３と、抽出部２０４と、復調部２０５と、復号部２０６と、判定部２０７と、制御部２０８と、復調部２０９と、復号部２１０と、ＣＲＣ部２１１と、応答信号生成部２１２と、符号化・変調部２１３と、１次拡散部２１４−１，２１４−２と、２次拡散部２１５−１，２１５−２と、ＤＦＴ部２１６と、拡散部２１７と、ＩＦＦＴ部２１８−１，２１８−２，２１８−３と、ＣＰ付加部２１９−１，２１９−２，２１９−３と、時間多重部２２０と、選択部２２１と、無線送信部２２２とを有する。
【００８９】
無線受信部２０１は、基地局１００から送信されたＯＦＤＭ信号を、アンテナを介して受信し、受信ＯＦＤＭ信号に対しダウンコンバート、Ａ／Ｄ変換等の受信処理を行う。なお、受信ＯＦＤＭ信号には、ＰＤＳＣＨ内のリソースに割り当てられたＰＤＳＣＨ信号（下り回線データ）又はＰＤＣＣＨ内のリソースに割り当てられたＰＤＣＣＨ信号が含まれる。
【００９０】
ＣＰ除去部２０２は、受信処理後のＯＦＤＭ信号に付加されているＣＰを除去する。
【００９１】
ＦＦＴ部２０３は、受信ＯＦＤＭ信号をＦＦＴして周波数領域信号に変換し、得られた受信信号を抽出部２０４へ出力する。
【００９２】
抽出部２０４は、入力される符号化率情報に従って、ＦＦＴ部２０３から受け取る受信信号から下り回線制御チャネル信号（ＰＤＣＣＨ信号）を抽出する。すなわち、符号化率に応じて下り回線制御情報割当リソースを構成するＣＣＥ（又はＲ−ＣＣＥ）の数が変わるので、抽出部２０４は、その符号化率に対応する個数のＣＣＥを抽出単位として、下り回線制御チャネル信号を抽出する。また、下り回線制御チャネル信号は、下り単位バンドごとに抽出される。抽出された下り回線制御チャネル信号は、復調部２０５へ出力される。
【００９３】
また、抽出部２０４は、後述する判定部２０７から受け取る自装置宛の下り回線データ割当リソースに関する情報に基づいて、受信信号から下り回線データ（下り回線データチャネル信号（ＰＤＳＣＨ信号））を抽出し、復調部２０９へ出力する。このように、抽出部２０４は、ＰＤＣＣＨにマッピングされた下り回線割当制御情報（ＤＣＩ）を受信し、ＰＤＳＣＨで下り回線データを受信する。
【００９４】
復調部２０５は、抽出部２０４から受け取る下り回線制御チャネル信号を復調し、得られた復調結果を復号部２０６に出力する。
【００９５】
復号部２０６は、入力される符号化率情報に従って、復調部２０５から受け取る復調結果を復号して、得られた復号結果を判定部２０７に出力する。
【００９６】
判定部２０７は、復号部２０６から受け取る復号結果に含まれる制御情報が自装置宛の制御情報であるか否かをブラインド判定（モニタ）する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下り回線データ割当リソースに関する情報を抽出部２０４へ出力する。
【００９７】
また、判定部２０７は、自装置宛の制御情報（すなわち、下り回線割当制御情報）を検出した場合、ＡＣＫ／ＮＡＣＫ信号が発生（存在）する旨を制御部２０８に通知する。また、判定部２０７は、自装置宛の制御情報をＰＤＣＣＨ信号から検出した場合、当該ＰＤＣＣＨが占有していたＣＣＥに関する情報を制御部２０８に出力する。
【００９８】
制御部２０８は、判定部２０７から入力されるＣＣＥに関する情報から、当該ＣＣＥに関連付けられたＡ／Ｎリソースを特定する。そして、制御部２０８は、ＣＣＥに関連付けられたＡ／Ｎリソース、又は、予め基地局１００から通知されているＡ／Ｎリソースに対応するBase sequence及び循環シフト量を、１次拡散部２１４−１へ出力し、当該Ａ／Ｎリソースに対応するウォルシュ系列及びＤＦＴ系列を２次拡散部２１５−１へ出力する。また、制御部２０８は、Ａ／Ｎリソースの周波数リソース情報をＩＦＦＴ部２１８−１に出力する。
【００９９】
また、制御部２０８は、束ＡＣＫ／ＮＡＣＫ信号を束ＡＣＫ／ＮＡＣＫリソースを用いて送信すると判断した場合、予め基地局１００から通知されている束ＡＣＫ／ＮＡＣＫリソースの参照信号部分（参照信号リソース）に対応するBase sequence及び循環シフト量を、１次拡散部２１４−２へ出力し、ウォルシュ系列を２次拡散部２１５−２へ出力する。また、制御部２０８は、束ＡＣＫ／ＮＡＣＫリソースの周波数リソース情報をＩＦＦＴ部２１８−２に出力する。
【０１００】
また、制御部２０８は、束ＡＣＫ／ＮＡＣＫリソースのデータ部分の拡散に用いるＤＦＴ系列を拡散部２１７に出力し、束ＡＣＫ／ＮＡＣＫリソースの周波数リソース情報をＩＦＦＴ部２１８−３に出力する。
【０１０１】
また、制御部２０８は、束ＡＣＫ／ＮＡＣＫリソース又はＡ／Ｎリソースのいずれかを選択し、選択したリソースを無線送信部２２２に出力するよう選択部２２１に指示する。更に、制御部２０８は、選択したリソースに応じて、束ＡＣＫ／ＮＡＣＫ信号又はＡＣＫ／ＮＡＣＫ信号のいずれかを生成するよう応答信号生成部２１２に指示する。
【０１０２】
復調部２０９は、抽出部２０４から受け取る下り回線データを復調し、復調後の下り回線データを復号部２１０へ出力する。
【０１０３】
復号部２１０は、復調部２０９から受け取る下り回線データを復号し、復号後の下り回線データをＣＲＣ部２１１へ出力する。
【０１０４】
ＣＲＣ部２１１は、復号部２１０から受け取る復号後の下り回線データを生成し、ＣＲＣを用いて下り単位バンド毎に誤り検出し、ＣＲＣ＝ＯＫ（誤り無し）の場合にはＡＣＫを、ＣＲＣ＝ＮＧ（誤り有り）の場合にはＮＡＣＫを、応答信号生成部２１２へそれぞれ出力する。また、ＣＲＣ部２１１は、ＣＲＣ＝ＯＫ（誤り無し）の場合には、復号後の下り回線データを受信データとして出力する。
【０１０５】
応答信号生成部２１２は、ＣＲＣ部２１１から入力される、各下り単位バンドにおける下り回線データの受信状況（下り回線データの誤り検出結果）に基づいて応答信号を生成する。すなわち、応答信号生成部２１２は、制御部２０８から束ＡＣＫ／ＮＡＣＫ信号を生成するように指示された場合には、下り単位バンド毎の誤り検出結果の各々が個別データとして含まれている束ＡＣＫ／ＮＡＣＫ信号を生成する。一方、応答信号生成部２１２は、制御部２０８からＡＣＫ／ＮＡＣＫ信号を生成するように指示された場合には、１シンボルのＡＣＫ／ＮＡＣＫ信号を生成する。なお、応答信号生成部２１２は、ＣＲＣ部２１１で得られる各下り回線データの誤り検出結果のビット総数が、誤り検出結果の通知用ビット数（つまり、ＡＣＫ／ＮＡＣＫ信号のビット数）となるように、誤り検出結果に対してバンドリング（空間バンドリング及び時間領域バンドリングを含む）を行ってＡＣＫ／ＮＡＣＫ信号を生成する。そして、応答信号生成部２１２は生成した応答信号を符号化・変調部２１３に出力する。なお、応答信号生成部２１２における、ＡＣＫ／ＮＡＣＫ信号のバンドリング方法については後述する。
【０１０６】
符号化・変調部２１３は、束ＡＣＫ／ＮＡＣＫ信号が入力された場合には、入力された束ＡＣＫ／ＮＡＣＫ信号を符号化・変調し、１２シンボルの変調信号を生成し、ＤＦＴ部２１６へ出力する。また、符号化・変調部２１３は、１シンボルのＡＣＫ／ＮＡＣＫ信号が入力された場合には、当該ＡＣＫ／ＮＡＣＫ信号を変調し、１次拡散部２１４−１に出力する。
【０１０７】
Ａ／Ｎリソース、及び、束ＡＣＫ／ＮＡＣＫリソースの参照信号リソースに対応する１次拡散部２１４−１及び２１４−２は、制御部２０８の指示に従ってＡＣＫ／ＮＡＣＫ信号又は参照信号を、リソースに対応するBase sequenceによって拡散し、拡散した信号を２次拡散部２１５−１，２１５−２へ出力する。
【０１０８】
２次拡散部２１５−１，２１５−２は、制御部２０８の指示により、入力された１次拡散後の信号をウォルシュ系列又はＤＦＴ系列を用いて拡散しＩＦＦＴ部２１８−１，２１８−２に出力する。
【０１０９】
ＤＦＴ部２１６は、入力される時系列の束ＡＣＫ／ＮＡＣＫ信号を１２個纏めてＤＦＴ処理を行うことにより、１２個の周波数軸上の信号成分を得る。そして、ＤＦＴ部２１６は１２個の信号成分を拡散部２１７に出力する。
【０１１０】
拡散部２１７は、制御部２０８から指示されたＤＦＴ系列を用いて、ＤＦＴ部２１６から入力された１２個の信号成分を拡散し、ＩＦＦＴ部２１８−３に出力する。
【０１１１】
ＩＦＦＴ部２１８−１，２１８−２，２１８−３は、制御部２０８の指示により、入力された信号を、配置されるべき周波数位置に対応付けてＩＦＦＴ処理を行う。これにより、ＩＦＦＴ部２１８−１，２１８−２，２１８−３に入力された信号（すなわち、ＡＣＫ／ＮＡＣＫ信号、Ａ／Ｎリソースの参照信号、束ＡＣＫ／ＮＡＣＫリソースの参照信号、束ＡＣＫ／ＮＡＣＫ信号）は時間領域の信号に変換される。
【０１１２】
ＣＰ付加部２１９−１，２１９−２，２１９−３は、ＩＦＦＴ後の信号の後尾部分と同じ信号をＣＰとしてその信号の先頭に付加する。
【０１１３】
時間多重部２２０は、ＣＰ付加部２１９−３から入力される束ＡＣＫ／ＮＡＣＫ信号（すなわち、束ＡＣＫ／ＮＡＣＫリソースのデータ部分を用いて送信される信号）と、ＣＰ付加部２１９−２から入力される束ＡＣＫ／ＮＡＣＫリソースの参照信号とを、束ＡＣＫ／ＮＡＣＫリソースに時間多重し、得られた信号を選択部２２１へ出力する。
【０１１４】
選択部２２１は、制御部２０８の指示に従って、時間多重部２２０から入力される束ＡＣＫ／ＮＡＣＫリソースとＣＰ付加部２１９−１から入力されるＡ／Ｎリソースのいずれかを選択し、選択したリソースに割り当てられた信号を無線送信部２２２へ出力する。
【０１１５】
無線送信部２２２は、選択部２２１から受け取る信号に対しＤ／Ａ変換、増幅及びアップコンバート等の送信処理を行い、アンテナから基地局１００へ送信する。
【０１１６】
［基地局１００及び端末２００の動作］
以上の構成を有する基地局１００及び端末２００の動作について説明する。
【０１１７】
本実施の形態では、端末２００の応答信号生成部２１２は、基地局１００へ通知する誤り検出結果のビットを空間バンドリングする。そして、応答信号生成部２１２は、空間バンドリング後（時間領域バンドリング前）の各ＣＣのビット数（つまり、ＣＣ間のビット数の比率）に基づいて、単位バンド毎に時間領域バンドリングすることによって、バンドリング率がＣＣ毎に均等になるように、応答信号通知用のビットを配分する。
【０１１８】
具体的には、応答信号生成部２１２は、空間バンドリング後、かつ、時間領域バンドリング前における、誤り検出結果のビット数のＣＣ間の比率に基づいて、図６（ａ）のＳｔｅｐ３でマッピングするＣＣ毎のビット数を決定する。そして、応答信号生成部２１２は、各ＣＣの誤り検出結果が決定したビット数になるように、ＣＣ毎に時間領域バンドリングを行う。
【０１１９】
ここで、上記「バンドリング率」は、バンドリング（空間及び時間領域バンドリング）前の誤り検出結果のビット数に対する、バンドリング後の誤り検出結果のビット数の比である。例えば、８ビットの誤り検出結果をバンドリングして２ビットにした場合、バンドリング率は０．２５（＝２／８）となる。また、例えば、２ビットの誤り検出結果をバンドリングしない場合、バンドリング率は、１（＝２／２）となる。
【０１２０】
以下では、一例として、図１１に示すように、２つのＣＣ（１つのＰＣｅｌｌ、１つのＳＣｅｌｌ）が端末２００に設定されている場合について説明する。また、図１１に示すように、ＰＣｅｌｌにはＭ＝１が設定され、ＳＣｅｌｌにはＭ＝４が設定されている。すなわち、図１１では、単位バンド間でUL-DL Configurationが異なる。また、図１１では、ＰＣｅｌｌ及びＳＣｅｌｌの双方にＭＩＭＯモード（下り回線で２ＣＷ送信までをサポートする送信モード）が設定されている。つまり、図１１は、ＰＣｅｌｌがＭ＝１（ＭＩＭＯ）、ＳＣｅｌｌがＭ＝４（ＭＩＭＯ）の場合に、各単位バンドにおいて、ＵＬサブフレームタイミングとなった場合の例である。このようなＭの値の組み合わせにおけるＵＬサブフレームタイミングは、例えば、ＰＣｅｌｌのUL-DL Configurationが図３に示すConfig 0であり、ＳＣｅｌｌのUL-DL ConfigurationがConfig 2である場合のサブフレーム＃２及びサブフレーム＃７で発生する。
【０１２１】
また、図１１では、ＰＣｅｌｌのＣＷ０に対する誤り検出結果は、ＡＣＫ（Ａ）であり、ＰＣｅｌｌのＣＷ１に対する誤り検出結果は、ＮＡＣＫ（Ｎ）である。また、図１１では、ＳＣｅｌｌのＣＷ０に対する誤り検出結果は、サブフレーム（ＳＦ）１，２，３，４の順に、「ＡＣＫ，ＡＣＫ，ＡＣＫ，ＡＣＫ」である。また、図１１では、ＳＣｅｌｌのＣＷ１に対する誤り検出結果は、サブフレーム（ＳＦ）１，２，３，４の順に、「ＡＣＫ，ＮＡＣＫ，ＡＣＫ，ＡＣＫ」である。
【０１２２】
以下、応答信号生成部２１２における「空間バンドリング」及び「時間領域バンドリング」についてそれぞれ説明する。
【０１２３】
（空間バンドリング）
応答信号生成部２１２は、各単位バンドにおいて、空間バンドリング（論理ＡＮＤ）を行う。例えば、図１１では、応答信号生成部２１２は、ＰＣｅｌｌにおいて、ＡＣＫとＮＡＣＫとの論理ＡＮＤをとり、ＮＡＣＫを得る。同様に、図１１では、応答信号生成部２１２は、ＳＣｅｌｌにおいてＣＷ０の誤り検出結果とＣＷ１の誤り検出結果との論理ＡＮＤをとり、ＳＦ１，２，３，４の順に、ＡＣＫ，ＮＡＣＫ，ＡＣＫ，ＡＣＫを得る。これにより、図１１に示すように、空間バンドリング後の誤り検出結果のビット数は、ＰＣｅｌｌで１ビットとなり、ＳＣｅｌｌで４ビットとなる。
【０１２４】
ここで、応答信号生成部２１２で空間バンドリングを行う条件は次の通りである。
【０１２５】
（実行対象１）少なくとも１つの単位バンドがＭ≧３の場合、応答信号生成部２１２は、２ＣＷ送信までをサポートする送信モードが設定されたすべての単位バンドに対して、空間バンドリングを行う。
【０１２６】
（実行対象２）応答信号生成部２１２は、実行対象１以外で、２ＣＷ送信までをサポートする送信モードが設定されたＭ＝２の単位バンドに対して、空間バンドリングを行う。
【０１２７】
応答信号生成部２１２は、実行対象１及び実行対象２に該当する単位バンド以外の単位バンドに対しては、空間バンドリングを行わない。
【０１２８】
図１２は、上記条件に従った場合の空間バンドリング（Ｓｔｅｐ１）の実行対象を示す。例えば、図１１の例は、図１２に示すＣＣ＃１がＭ＝１（ＭＩＭＯ）であり、ＣＣ＃２がＭ＝４である場合に相当する。
【０１２９】
なお、上記条件では、Ｍ＝１（ＭＩＭＯ）とＭ＝２の組合せにおいて、Ｍ＝１（ＭＩＭＯ）であるＣＣについては、空間バンドリングが行われない。しかし、応答信号生成部２１２は、このＣＣについても空間バンドリングを行ってもよい。その場合、空間バンドリンを行う条件は、「少なくとも１つの単位バンドがＭ≧２の場合、応答信号生成部２１２は、２ＣＷ送信までをサポートする送信モードが設定されたすべての単位バンドに対して、空間バンドリングを行う。応答信号生成部２１２は、それ以外の単位バンドに対して、空間バンドリングを行わない」、となる。
【０１３０】
（時間領域バンドリング）
応答信号生成部２１２は、空間バンドリング後の各単位バンドのビット総数が、誤り検出結果の通知用ビット数（ＡＣＫ／ＮＡＣＫ信号のビット数）よりも多い場合、時間領域バンドリングを行う。
【０１３１】
例えば、図１１では、空間バンドリングの実施後、ＰＣｅｌｌの誤り検出結果は１ビットであり、ＳＣｅｌｌの誤り検出結果は４ビットであり、合計で５ビットになる。また、図１１（ＰＣｅｌｌがＭ＝１（ＭＩＭＯ）、ＳＣｅｌｌがＭ＝４）では、ＡＣＫ／ＮＡＣＫ信号は４ビットで送信される。そこで、応答信号生成部２１２は、空間バンドリング後の５ビットを４ビットのマッピングテーブルにマッピングするために、時間領域バンドリングを単位バンド毎に行う。
【０１３２】
ここで、時間領域バンドリング前（空間バンドリング後）の誤り検出結果のビット数に対する、時間領域バンドリング後の誤り検出結果のビット数の比を、「時間領域バンドリング率」と定義する。
【０１３３】
応答信号生成部２１２は、時間領域バンドリング率が単位バンド間で均等になるように、単位バンド毎の時間領域バンドリング後の誤り検出結果のビット数を決定する。具体的には、応答信号生成部２１２は、時間領域バンドリング前（空間バンドリング後）における、単位バンド間の誤り検出結果のビット数の比率に基づいて、時間領域バンドリング後における単位バンド毎の誤り検出結果のビット数を決定する。
【０１３４】
具体的には、応答信号生成部２１２は、空間バンドリング直後のＰＣｅｌｌにおける誤り検出結果のビット数と、空間バンドリング直後のＳＣｅｌｌにおける誤り検出結果のビット数との比率に基づいて、時間領域バンドリング後のＰＣｅｌｌにおける誤り検出結果のビット数、及び、時間領域バンドリング後のＳＣｅｌｌにおける誤り検出結果のビット数をそれぞれ決定する。そして、応答信号生成部２１２は、決定したビット数に従って、各単位バンドの空間バンドリング後の誤り検出結果に対して時間領域バンドリングを単位バンド毎に行う。
【０１３５】
例えば、図１１では、時間領域バンドリング前（空間バンドリング直後）における単位バンドの誤り検出結果のビット数は、ＰＣｅｌｌが１ビットで、ＳＣｅｌｌが４ビットである。つまり、図１１では、時間領域バンドリング前（空間バンドリング直後）における、ＰＣｅｌｌとＳＣｅｌｌとの間の誤り検出結果のビット比率は、１：４となる。
【０１３６】
まず、応答信号生成部２１２は、時間領域バンドリング後における、ＰＣｅｌｌとＳＣｅｌｌとの間の誤り検出結果のビット数の比率が、時間領域バンドリング前（空間バンドリング直後）のＰＣｅｌｌとＳＣｅｌｌとの間の誤り検出結果のビット数の比率となるように、ＡＣＫ／ＮＡＣＫ信号の通知ビット（４ビット）を配分する。例えば、図１１では、時間領域バンドリング後の誤り検出結果のビット数全体（４ビット）に占める、ＰＣｅｌｌの誤り検出結果のビット数は、（１／５）×４＝０．８ビットとなる。同様に、図１１では、時間領域バンドリング前（空間バンドリング直後）の誤り検出結果のビット数全体（４ビット）に占める、ＳＣｅｌｌの誤り検出結果のビット数は、（４／５）×４＝３．２ビットとなる。
【０１３７】
次いで、応答信号生成部２１２は、時間領域バンドリング後の誤り検出結果のビット数の合計が４ビット（ＡＣＫ／ＮＡＣＫ信号のビット数）となり、単位バンド毎に自然数のビット数になり、かつ、時間領域バンドリング率の単位バンド間の差分が最小になるように、時間領域バンドリング後の誤り検出結果のビット数を決定する。
【０１３８】
すなわち、応答信号生成部２１２は、ＡＣＫ／ＮＡＣＫ信号のビット数（図１１では４ビット）に占める、時間領域バンドリング後のＰＣｅｌｌにおける誤り検出結果のビット数と時間領域バンドリング後のＳＣｅｌｌにおける誤り検出結果のビット数との比率を、時間領域バンドリング前（空間バンドリング直後）のＰＣｅｌｌにおける誤り検出結果のビット数と時間領域バンドリング前（空間バンドリング直後）のＳＣｅｌｌにおける誤り検出結果のビット数との比率に近似する自然数とする。また、応答信号生成部２１２は、ＰＣｅｌｌとＳＣｅｌｌとの間で、時間領域バンドリング率（時間領域バンドリング前の誤り検出結果のビット数に対する時間領域バンドリング後の誤り検出結果のビット数の比率）の差分を最小とする。更に、応答信号生成部２１２は、時間領域バンドリング後のＰＣｅｌｌ及びＳＣｅｌｌにおける誤り検出結果のビット数の合計をＡＣＫ／ＮＡＣＫ信号のビット数（４ビット）と同数とする。
【０１３９】
例えば、図１１では、時間領域バンドリング前における、ＰＣｅｌｌとＳＣｅｌｌとの間の誤り検出結果のビット数の比率（１：４）に従うと、時間領域バンドリング後のＡＣＫ／ＮＡＣＫ信号（４ビット）に占める、ＰＣｅｌｌとＳＣｅｌｌとの間の誤り検出結果のビット比率は、０．８：３．２（＝１：４）となる。よって、応答信号生成部２１２は、時間領域バンドリング後におけるＰＣｅｌｌとＳＣｅｌｌとの間の誤り検出結果の比率として、上記比率（０．８：３．２）に近似する自然数となり、合計が４ビットとなる比率（１：３）を決定する。これにより、図１１では、応答信号生成部２１２は、時間領域バンドリング後の誤り検出結果のビット数が、ＰＣｅｌｌで１ビット、ＳＣｅｌｌで３ビットとなるように、時間領域バンドリングを単位バンド毎に行う。
【０１４０】
図１１において、ＰＣｅｌｌでは、時間領域バンドリング前も時間領域バンドリング後も、共に１ビット（ＮＡＣＫ）であるため、実質的には時間領域バンドリングが行われていない。一方、図１１において、ＳＣｅｌｌでは、時間領域バンドリング前に４ビットであるのに対して、時間領域バンドリング後に３ビットになる。つまり、応答信号生成部２１２は、時間領域バンドリングを行って、誤り検出結果のビット数を４ビットから３ビットにする。
【０１４１】
図１３に、４ビットから３ビットにバンドリングする際の、バンドリング方法の一例を示す。なお、図１３では、ＡＣＫの発生確率を９０％とし、ＮＡＣＫの発生確率を９％とし、ＤＴＸの発生確率を１％と仮定して、４ビットの誤り検出結果の発生確率が高い誤り検出結果の組合せが、１つのステート（Mapped state）に割り当てられるようにマッピングされている。例えば、４ビットの誤り検出結果の組み合わせの中で、（ＡＣＫ，ＡＣＫ，ＡＣＫ，ＡＣＫ）の組合せの発生確率は、０．９４×１００＝６５．６１％と最も高い。次いで、ＡＣＫが３つでＮＡＣＫ又はＤＴＸが１つある組み合わせ（例えば、（ＮＡＣＫ／ＤＴＸ，ＡＣＫ，ＡＣＫ，ＡＣＫ）の発生確率は、０．９３×０．１×１００＝７．２９％で２番目に高い。このように、図１３では、発生確率の高い誤り検出結果の組合せを１つのステートにマッピングされる。これにより、端末２００は、基地局１００に対して発生頻度の高い誤り検出結果の組合せを、バンドリングによる情報の欠落なしに送信することができる。
【０１４２】
例えば、図１１では、応答信号生成部２１２は、時間領域バンドリング前の誤り検出結果（ＡＣＫ，ＮＡＣＫ，ＡＣＫ，ＡＣＫ）を、図１３に基づいて、３ビットに時間領域バンドリングすると、（ＡＣＫ，ＮＡＣＫ，ＡＣＫ）となる。
【０１４３】
図１１では、時間領域バンドリング後、このようにしてＰＣｅｌｌの１ビット（ＮＡＣＫ）、及び、ＳＣｅｌｌの３ビット（ＡＣＫ，ＮＡＣＫ，ＡＣＫ）の合計４ビットの誤り検出結果が得られる。
【０１４４】
端末２００は、この４ビットの時間領域バンドリング後の誤り検出結果（Ｎ，Ａ，Ｎ，Ａ）を、例えば図６（ａ）のＳｔｅｐ３に示すマッピングテーブルにマッピングする。つまり、ＰＵＣＣＨリソース（Ａ／Ｎリソース）ｈ３に、＋ｊ（すなわち、（０，＋１））の位相点をマッピングして、基地局１００に通知する。
【０１４５】
図１１では、バンドリング率（バンドリング前の誤り検出結果のビット数に対するバンドリング後の誤り検出結果のビット数の割合）は、ＰＣｅｌｌで０．５（＝１／２）となり、ＳＣｅｌｌで０．３７５（＝３／８）となる。また、単位バンド間のバンドリング率の差分は、０．５−０．３７５＝０．１２５となる。
【０１４６】
ここで、図１１と同様、ＰＣｅｌｌでＭ＝１（ＭＩＭＯ）とし、ＳＣｅｌｌでＭ＝４（ＭＩＭＯ）とし、かつ、ＡＣＫ／ＮＡＣＫの通知に用いるビット数（Ｓｔｅｐ３でマッピングに用いるビット数）を４ビットとする場合において、仮に、本実施の形態と異なるビット数を各単位バンドに配分した場合について説明する。
【０１４７】
例えば、時間領域バンドリング後の誤り検出結果のビット数が、ＰＣｅｌｌで３ビット、かつ、ＳＣｅｌｌで１ビットとなるように時間領域バンドリングを行った場合、ＰＣｅｌｌのバンドリング率は１．５（＝３／２）となり、ＳＣｅｌｌのバンドリング率は０．１２５（＝１／８）となり、これらの差分は、１．５−０．１２５＝１．３７５となる。
【０１４８】
また、例えば、時間領域バンドリング後の誤り検出結果のビット数が、ＰＣｅｌｌで２ビット、かつ、ＳＣｅｌｌで２ビットとなるように時間領域バンドリングを行った場合、ＰＣｅｌｌのバンドリング率は１（＝２／２）となり、ＳＣｅｌｌのバンドリング率は０．２５（＝２／８）となり、これらの差分は、１−０．２５＝０．７５となる。
【０１４９】
これらを比較すると、単位バンド間のバンドリング率の差分は、本実施の形態（０．１２５）が最小となる。すなわち、単位バンド毎のバンドリング率は、本実施の形態を適用する場合において最も均等になる。
【０１５０】
図１４は、上述したＰＣｅｌｌでＭ＝１（ＭＩＭＯ）、ＳＣｅｌｌでＭ＝４の組み合わせ以外の他のＭの値の組み合わせも含む時間領域バンドリング方法を示す。図１４に示すように、各単位バンドのＭの値の和が、Ｓｔｅｐ３でマッピングに用いるビット数（ＡＣＫ／ＮＡＣＫ信号を通知するビット数）よりも多い場合、応答信号生成部２１２は、時間領域バンドリング（Ｓｔｅｐ２）を行う。
【０１５１】
Ｓｔｅｐ３でマッピングに用いるビット数は、例えば、図１２に示す空間バンドリング後の誤り検出結果のビット数が４ビット以上の場合は、４ビットである。同様に、Ｓｔｅｐ３でマッピングに用いるビット数は、図１２に示す空間バンドリング後の誤り検出結果のビット数が３ビットの場合は、そのまま３ビットであり、図１２に示す空間バンドリング後の誤り検出結果のビット数が２ビットの場合もそのまま２ビットである。ただし、図１４に示すように、一方がＭ＝１（ｎｏｎ−ＭＩＭＯ）であり、他方がＭ＝３又はＭ＝４の場合、Ｓｔｅｐ３でマッピングに用いるビット数は３ビットである。ただし、一方がＭ＝１（ｎｏｎ−ＭＩＭＯ）であり、他方がＭ＝３又はＭ＝４の場合、Ｓｔｅｐ３でマッピングに用いるビット数を４ビットとしてもよい。この場合は、Ｍ＝１（ｎｏｎ−ＭＩＭＯ）の単位バンドに対するビット数配分を１ビット、Ｍ＝３又はＭ＝４の単位バンドに対するビット数配分を３ビットとする。
【０１５２】
ここで、単位バンド間のバンドリング率（バンドリング前の誤り検出結果のビット数に対する、バンドリング後の誤り検出結果のビット数の比）に偏りが有る場合について説明する。単位バンド間のバンドリング率に偏りが有る場合、バンドリング率が低い一方の単位バンドに対する誤り検出結果をバンドリング（すなわち、情報量の欠落）から守れなくなる。これに対して、バンドリング率が高い他方の単位バンドに対する誤り検出結果を過剰にバンドリングから守ってしまう。このため、バンドリング率が高い単位バンドよりも、バンドリング率が低い単位バンドの方が、基地局１００で判定できる誤り検出結果の検出精度が悪くなる。例えば、バンドリング率が１．０の単位バンド（すなわち、バンドリング率が高い単位バンド。バンドリング無し）では、ＣＷ０及びＣＷ１の誤り検出結果が基地局１００に（ＮＡＣＫ，ＡＣＫ）と通知されれば、基地局１００は、ＣＷ０に対応する誤り検出結果がＮＡＣＫであり、ＣＷ１に対応する誤り検出結果がＡＣＫである、と一意に決定できる。一方で、バンドリング率が低い単位バンドでは、３個以上の誤り検出結果が基地局１００に（ＮＡＣＫ，ＮＡＣＫ）と通知されたとしても、基地局１００は、バンドリング前の３個以上の誤り検出結果を一意に決定することができない。
【０１５３】
これに対して、本実施の形態では、端末２００は、バンドリング率が各単位バンドで均等にすることで、複数の単位バンドのうち一部の単位バンドにおいて、基地局１００で判定できる誤り検出結果の検出精度が悪くなることを回避することができる。これにより、例えば、優先度のより高い単位バンドに対するＡＣＫ／ＮＡＣＫ情報がバンドリングによって欠落してしまうことを低減できる。よって、本実施の形態によれば、端末２００に設定された単位バンド全体においてＡＣＫ／ＮＡＣＫ情報の伝送効率を向上させることができる。
【０１５４】
また、空間領域の誤り検出結果の方が、時間領域の誤り検出結果よりも、誤りの相関が高い。そこで、本実施の形態では、端末２００は、時間領域バンドリングに先立って、空間バンドリングを行う。例えば、図１１に示す一例では、端末２００は、バンドリング前の合計１０ビットの誤り検出結果うち、５ビットを空間バンドリングで減らし、空間バンドリングの後の５ビットのうち、１ビットを時間領域バンドリングで減らしている。このようにして、端末２００は、バンドリング前の１０ビットの誤り検出結果を、バンドリングによって４ビット（ＡＣＫ／ＮＡＣＫ信号のビット数）にしている。すなわち、端末２００では、誤りの相関が高い空間領域での誤り検出結果のバンドリングをより多く用いることができるため、ＰＣｅｌｌ、ＳＣｅｌｌ全体で見たときの、基地局１００での誤り検出結果の検出精度を高くするという効果がある。
【０１５５】
一方、基地局１００のＡ／Ｎ判定部１１８は、端末２００の応答信号生成部２１２と同様にして、処理対象の端末２００に設定された送信モード、UL-DL Configuration（つまり、Ｍの値）に基づいて、当該端末２００から通知される応答信号に示される複数の誤り検出結果を判定する。例えば、Ａ／Ｎ判定部１１８は、図１２に示す各単位バンドに設定された送信モード及びＭの値に従って、端末２００での応答信号に対するバンドリング方法を特定する。
【０１５６】
このようにして、本実施の形態によれば、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果をバンドリングすることにより、誤り検出結果を正しく送受信することができる。
【０１５７】
なお、本実施の形態では、端末２００が、まず、空間バンドリングを行った後に、単位バンド毎のバンドリング率を平滑化するように、単位バンド毎に誤り検出結果のビット配分を決定し、時間領域バンドリングを行う場合について説明した。しかし、端末２００において、単位バンド毎の誤り検出結果のビット配分を決定するのは空間バンドリング後でなくてもよい。例えば、端末２００は、空間バンドリング前に、単位バンド毎のバンドリング率を平滑化するように、誤り検出結果のビット配分を決定した後、空間バンドリングを行い、さらにその後、時間領域バンドリングを行ってもよい。
【０１５８】
例えば、ＰＣｅｌｌでＭ＝４（ＭＩＭＯ）、ＳＣｅｌｌでＭ＝４（ｎｏｎ−ＭＩＭＯ）の場合について説明する。この場合、バンドリング前には、ＰＣｅｌｌの誤り検出結果は８ビット、ＳＣｅｌｌの誤り検出結果は４ビットある。端末２００は、バンドリング率（バンドリング前の誤り検出結果のビット数に対する、バンドリング後の誤り検出結果のビット数の比）が、各単位バンドに対して均等になるように、単位バンド毎の空間バンドリング及び時間領域バンドリング後の誤り検出結果のビット数を決定する。具体的には、ＰＣｅｌｌでは、空間バンドリング及び時間領域バンドリング後の誤り検出結果のビット数は、（８／１２）×４＝２．６７ビットとなり、ＳＣｅｌｌでは、（４／１２）×４＝１．３３ビットとなる。そこで、端末は、合計４ビットとなり、単位バンド毎に自然数のビット数になり、かつ、時間領域バンドリング率の単位バンド間の差分を最小にするように、空間バンドリング及び時間領域バンドリング後の誤り検出結果のビット数を決定する。ここでは、端末は、ＰＣｅｌｌにおいて３ビット、ＳＣｅｌｌにおいて１ビットとなるように、空間バンドリング及び時間領域バンドリングを行う。
【０１５９】
（実施の形態２）
本実施の形態において、端末２００（図１０）が、基地局１００（図９）へ通知する誤り検出結果のビット数を、空間バンドリング後の各ＣＣの誤り検出結果のビット数（ＣＣ間のビット数の比率）に基づいて決定する点は実施の形態１と同様である。実施の形態１では、端末２００は、各ＣＣで個別に時間領域バンドリングを行うことによって、バンドリング率がＣＣ間で均等になるよう配分する。これに対して、本実施の形態では、端末２００が、時間領域バンドリング及び周波数領域バンドリング（周波数領域でのバンドリング（Frequency-domain bundling））を全ＣＣに渡って行うことによって、バンドリング率がＣＣ間で均等になるようにする点が実施の形態１と異なる。
【０１６０】
具体的には、端末２００の応答信号生成部２１２は、空間バンドリング後に得られた全ＣＣの誤り検出結果のビット数が、図６（ａ）のＳｔｅｐ３でマッピングするビット数（ＡＣＫ／ＮＡＣＫ信号のビット数）となるように、時間領域バンドリング及び周波数領域バンドリングを行う。
【０１６１】
以下では、一例として、実施の形態１（図１１）と同様、図１５に示すように、２つのＣＣ（１つのＰＣｅｌｌ、１つのＳＣｅｌｌ）が端末２００に設定されている場合について説明する。また、図１５に示すように、ＰＣｅｌｌにはＭ＝１が設定され、ＳＣｅｌｌにはＭ＝４が設定されている。また、図１５では、ＰＣｅｌｌのＣＷ０に対する誤り検出結果は、ＡＣＫ（Ａ）であり、ＰＣｅｌｌのＣＷ１に対する誤り検出結果は、ＮＡＣＫ（Ｎ）である。また、図１５では、ＳＣｅｌｌのＣＷ０に対する誤り検出結果は、サブフレーム（ＳＦ）１，２，３，４の順に、「ＡＣＫ，ＡＣＫ，ＡＣＫ，ＡＣＫ」である。また、図１５では、ＳＣｅｌｌのＣＷ１に対する誤り検出結果は、サブフレーム（ＳＦ）１，２，３，４の順に、「ＡＣＫ，ＮＡＣＫ，ＡＣＫ，ＡＣＫ」である。
【０１６２】
以下、応答信号生成部２１２における「時間領域バンドリング及び周波数領域バンドリング」について説明する。なお、本実施の形態における「空間バンドリング」は、実施の形態１と同様であるため、ここでは説明を省略する。
【０１６３】
（時間領域及び周波数領域バンドリング）
応答信号生成部２１２は、空間バンドリング後の各単位バンドのビット総数が、誤り検出結果の通知用ビット数（ＡＣＫ／ＮＡＣＫ信号のビット数）よりも多い場合、時間領域バンドリングを行う。
【０１６４】
図１５では、空間バンドリングの実施後、ＰＣｅｌｌの誤り検出結果は１ビットであり、ＳＣｅｌｌの誤り検出結果は４ビットであり、合計で５ビットになる。また、図１５（ＰＣｅｌｌがＭ＝１（ＭＩＭＯ）、ＳＣｅｌｌがＭ＝４）では、ＡＣＫ／ＮＡＣＫ信号は４ビットで送信される。そこで、応答信号生成部２１２は、空間バンドリング後の５ビットを４ビットのマッピングテーブルにマッピングするために、時間領域バンドリング及び周波数領域バンドリングをＰＣｅｌｌ及びＳＣｅｌｌに渡って行う。
【０１６５】
具体的には、図１５では、応答信号生成部２１２は、時間領域及び周波数領域のバンドリング前（空間バンドリング直後）のＰＣｅｌｌ及びＳＣｅｌｌの誤り検出結果（合計５ビット）に対して、時間領域バンドリング及び周波数領域バンドリングをＰＣｅｌｌ及びＳＣｅｌｌに渡って行う。すなわち、図１５では、応答信号生成部２１２は、５ビットから４ビットにバンドリングするバンドリング方法（図示せず）を用いて、時間領域バンドリング及び周波数領域バンドリングを行う。
【０１６６】
図１５では、応答信号生成部２１２は、空間バンドリング後のＰＣｅｌｌのＮＡＣＫ、及び、ＳＣｅｌｌのＡＣＫ，ＮＡＣＫ，ＡＣＫ，ＡＣＫの合計５ビットに対して、時間領域バンドリング及び周波数領域バンドリングを行い、ＮＡＣＫ，ＡＣＫ，ＡＣＫ，ＡＣＫの４ビットを得る。
【０１６７】
これにより、図１５では、バンドリング率（バンドリング前の誤り検出結果のビット数に対するバンドリング後の誤り検出結果のビット数の割合）は、ＰＣｅｌｌで０．４（＝（１／２）×（４／５））となり、ＳＣｅｌｌで０．４（＝（４／８）×（４／５））となり、単位バンド間で、完全に平滑化されていることがわかる。換言すると、ＡＣＫ／ＮＡＣＫ信号のビット数における、ＰＣｅｌｌの誤り検出結果に対応するビット数（０．８ビット）とＳＣｅｌｌの誤り検出結果に対応するビット数（３．２ビット）との比率（１：４）は、空間バンドリング直後のＰＣｅｌｌにおける誤り検出結果のビット数（１ビット）と、空間バンドリング直後のＳＣｅｌｌにおける誤り検出結果のビット数（４ビット）との比率（１：４）と同一である。すなわち、本実施の形態（図１５）では、実施の形態１で示したバンドリング方法（単位バンド間のバンドリング率の差分：０．１２５）よりも、単位バンド間のバンドリング率をより平滑化することができる。
【０１６８】
図１６は、上述したＰＣｅｌｌでＭ＝１（ＭＩＭＯ）、ＳＣｅｌｌでＭ＝４の組み合わせ以外の他のＭの値の組み合わせも含む時間領域バンドリング及び周波数領域バンドリングの方法を示す。図１６に示すように、各単位バンドのＭの値の和が、Ｓｔｅｐ３でマッピングに用いるビット数（ＡＣＫ／ＮＡＣＫ信号のビット数）よりも多い場合、応答信号生成部２１２は、時間領域バンドリング及び周波数領域バンドリング（つまり、Ｓｔｅｐ２）を行う。
【０１６９】
Ｓｔｅｐ３でマッピングに用いるビット数は、図１５と同様に、例えば、図１６に示す空間バンドリング後の誤り検出結果のビット数が４ビット以上の場合は、４ビットである。同様に、Ｓｔｅｐ３でマッピングに用いるビット数は、図１６に示す空間バンドリング後の誤り検出結果のビット数が３ビットの場合は、そのまま３ビットであり、図１６に示す空間バンドリング後の誤り検出結果のビット数が２ビットの場合もそのまま２ビットである。ただし、図１６に示すように、一方がＭ＝１（ｎｏｎ−ＭＩＭＯ）であり、他方がＭ＝３又はＭ＝４の場合、Ｓｔｅｐ３でマッピングに用いるビット数は３ビットである。ただし、一方がＭ＝１（ｎｏｎ−ＭＩＭＯ）であり、他方がＭ＝３又はＭ＝４の場合、Ｓｔｅｐ３でマッピングに用いるビット数を４ビットとしてもよい。
【０１７０】
このようにして、本実施の形態では、端末２００は、バンドリング率が各単位バンドで均等にすることで、実施の形態１と同様、複数の単位バンドのうち一部の単位バンドにおいて、基地局１００で判定できる誤り検出結果の検出精度が悪くなることを回避することができる。これにより、例えば、優先度のより高い単位バンドに対するＡＣＫ／ＮＡＣＫ情報がバンドリングによって欠落してしまうことを低減できる。よって、本実施の形態によれば、端末２００に設定された単位バンド全体においてＡＣＫ／ＮＡＣＫ情報の伝送効率を向上させることができる。
【０１７１】
また、本実施の形態では、実施の形態１と同様、端末２００では、時間領域よりも誤りの相関が高い空間領域で、誤り検出結果のバンドリングがより多く適用される。このため、ＰＣｅｌｌ、ＳＣｅｌｌ全体で見たときの、基地局１００での誤り検出結果の検出精度が高くなる効果がある。
【０１７２】
よって、本実施の形態によれば、実施の形態１と同様、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果をバンドリングすることにより、誤り検出結果を正しく送受信することができる。
【０１７３】
（実施の形態３）
実施の形態１及び２では、端末２００（図１０）が、空間バンドリング後の各ＣＣの誤り検出結果のビット数（ＣＣ間のビット数の比率）に基づいて、各ＣＣの時間領域バンドリング（又は周波数領域バンドリング）を行う場合について説明した。これに対して、本実施の形態では、端末２００は、バンドリング（空間バンドリング及び時間領域バンドリング）前の誤り検出結果のビット数に基づいて、バンドリングをＣＣ毎に行う場合について説明する。
【０１７４】
具体的には、端末２００の応答信号生成部２１２（図１０）は、バンドリング前における、誤り検出結果のビット数のＣＣ間の比率に基づいて、図６（ａ）のＳｔｅｐ３でマッピングするＣＣ毎のビット数を決定する。そして、応答信号生成部２１２は、各ＣＣの誤り検出結果が決定したビット数になるように、ＣＣ毎にバンドリング（空間バンドリング及び時間領域バンドリング）を行う。
【０１７５】
以下では、一例として、実施の形態１（図１１）と同様、図１７に示すように、２つのＣＣ（１つのＰＣｅｌｌ、１つのＳＣｅｌｌ）が端末２００に設定されている場合について説明する。また、図１７に示すように、ＰＣｅｌｌにはＭ＝１が設定され、ＳＣｅｌｌにはＭ＝４が設定されている。また、図１７では、ＰＣｅｌｌのＣＷ０に対する誤り検出結果は、ＡＣＫ（Ａ）であり、ＰＣｅｌｌのＣＷ１に対する誤り検出結果は、ＮＡＣＫ（Ｎ）である。また、図１７では、ＳＣｅｌｌのＣＷ０に対する誤り検出結果は、サブフレーム（ＳＦ）１，２，３，４の順に、「ＡＣＫ，ＡＣＫ，ＡＣＫ，ＡＣＫ」である。また、図１７では、ＳＣｅｌｌのＣＷ１に対する誤り検出結果は、サブフレーム（ＳＦ）１，２，３，４の順に、「ＡＣＫ，ＮＡＣＫ，ＡＣＫ，ＡＣＫ」である。
【０１７６】
以下、応答信号生成部２１２における空間バンドリング及び時間領域バンドリングについて説明する。
【０１７７】
（空間領域及び時間領域バンドリング）
応答信号生成部２１２は、バンドリング前の各単位バンドのビット総数が、誤り検出結果の通知用ビット数（ＡＣＫ／ＮＡＣＫ信号のビット数）よりも多い場合、バンドリングを行う。
【０１７８】
例えば、図１７では、バンドリング実施前、ＰＣｅｌｌの誤り検出結果は２ビットであり、ＳＣｅｌｌの誤り検出結果は８ビットであり、合計で１０ビットになる。また、図１７（ＰＣｅｌｌがＭ＝１（ＭＩＭＯ）、ＳＣｅｌｌがＭ＝４）では、ＡＣＫ／ＮＡＣＫ信号は４ビットで送信される。そこで、応答信号生成部２１２は、バンドリング前の１０ビットを４ビットのマッピングテーブルにマッピングするために、空間バンドリング及び時間領域バンドリングを単位バンド毎に行う。
【０１７９】
応答信号生成部２１２は、バンドリング率（バンドリング前の誤り検出結果のビット数に対する、空間領域及び時間領域バンドリング後の誤り検出結果のビット数の比）が、単位バンド間で均等になるように、単位バンド毎のバンドリング後の誤り検出結果のビット数を決定する。例えば、応答信号生成部２１２は、バンドリング前における単位バンド間の誤り検出結果のビット数の比率に基づいて、バンドリング後における単位バンド毎の誤り検出結果のビット数を決定する。
【０１８０】
具体的には、応答信号生成部２１２は、バンドリング前のＰＣｅｌｌにおける誤り検出結果のビット数と、バンドリング前のＳＣｅｌｌにおける誤り検出結果のビット数との比率に基づいて、バンドリング後のＰＣｅｌｌにおける誤り検出結果のビット数、及び、バンドリング後のＳＣｅｌｌにおける誤り検出結果のビット数をそれぞれ決定する。そして、応答信号生成部２１２は、決定したビット数に従って、各単位バンドの誤り検出結果に対してバンドリングを単位バンド毎に行う。
【０１８１】
例えば、図１７では、バンドリング前における単位バンドの誤り検出結果のビット数は、ＰＣｅｌｌが２ビットで、ＳＣｅｌｌが８ビットである。つまり、図１７では、バンドリング前における、ＰＣｅｌｌとＳＣｅｌｌとの間の誤り検出結果のビット比率は、２：８（＝１：４）となる。
【０１８２】
まず、応答信号生成部２１２は、バンドリング後における、ＰＣｅｌｌとＳＣｅｌｌとの間の誤り検出結果のビット数の比率が、バンドリング前のＰＣｅｌｌとＳＣｅｌｌとの間の誤り検出結果のビット数の比率となるように、ＡＣＫ／ＮＡＣＫ信号の通知ビット（４ビット）を配分する。例えば、図１７では、バンドリング後の誤り検出結果のビット数全体（４ビット）に占める、ＰＣｅｌｌの誤り検出結果のビット数は、（２／１０）×４＝０．８ビットとなる。同様に、図１７では、バンドリング後の誤り検出結果のビット数全体（４ビット）に占める、ＳＣｅｌｌの誤り検出結果のビット数は、（８／１０）×４＝３．２ビットとなる。
【０１８３】
次いで、応答信号生成部２１２は、バンドリング後の誤り検出結果のビット数の合計が４ビット（ＡＣＫ／ＮＡＣＫ信号のビット数）となり、単位バンド毎に自然数のビット数になり、かつ、バンドリング率の単位バンド間の差分が最小になるように、バンドリング後の誤り検出結果のビット数を決定する。
【０１８４】
すなわち、応答信号生成部２１２は、ＡＣＫ／ＮＡＣＫ信号のビット数（図１７では４ビット）に占める、バンドリング後のＰＣｅｌｌにおける誤り検出結果のビット数とバンドリング後のＳＣｅｌｌにおける誤り検出結果のビット数との比率を、バンドリング前のＰＣｅｌｌにおける誤り検出結果のビット数とバンドリング前のＳＣｅｌｌにおける誤り検出結果のビット数との比率に近似する自然数とする。また、応答信号生成部２１２は、ＰＣｅｌｌとＳＣｅｌｌとの間で、バンドリング率（バンドリング前の誤り検出結果のビット数に対するバンドリング後の誤り検出結果のビット数の比率）の差分を最小とする。更に、応答信号生成部２１２は、バンドリング後のＰＣｅｌｌ及びＳＣｅｌｌにおける誤り検出結果のビット数の合計をＡＣＫ／ＮＡＣＫ信号のビット数（４ビット）と同数とする。
【０１８５】
例えば、図１７では、バンドリング前における、ＰＣｅｌｌとＳＣｅｌｌとの間の誤り検出結果のビット数の比率（１：４）に従うと、バンドリング後のＡＣＫ／ＮＡＣＫ信号（４ビット）に占める、ＰＣｅｌｌとＳＣｅｌｌとの間の誤り検出結果のビット比率は、０．８：３．２（＝１：４）となる。よって、応答信号生成部２１２は、バンドリング後におけるＰＣｅｌｌとＳＣｅｌｌとの間の誤り検出結果の比率として、上記比率（０．８：３．２）に近似する自然数となり、合計が４ビットとなる比率（１：３）を決定する。これにより、図１７では、応答信号生成部２１２は、バンドリング後の誤り検出結果のビット数が、ＰＣｅｌｌで１ビット、かつ、ＳＣｅｌｌで３ビットとなるように、空間バンドリング及び時間領域バンドリングを単位バンド毎に行う。
【０１８６】
図１７において、ＰＣｅｌｌでは、バンドリング前に２ビットであるのに対して、バンドリング後に１ビットになる。そこで、応答信号生成部２１２は、空間領域及び時間領域バンドリングを行って、誤り検出結果のビット数を２ビットから１ビットにする。一方、図１７において、ＳＣｅｌｌでは、バンドリング前に８ビットであるのに対して、バンドリング後に３ビットになる。そこで、応答信号生成部２１２は、空間領域及び時間領域バンドリングを行って、誤り検出結果のビット数を８ビットから３ビットにする。
【０１８７】
ここで、実施の形態１では、空間バンドリングの後に時間領域バンドリングが行われた。これに対して、本実施の形態では、必ずしも空間バンドリングの後に時間領域バンドリングを行わなくてもよい点が、実施の形態１と異なる。
【０１８８】
例えば、応答信号生成部２１２が、図１７のＳＣｅｌｌにおいて、空間バンドリング及び時間領域バンドリングを行って、誤り検出結果のビット数を８ビットから３ビットにする場合について説明する。この場合、応答信号生成部２１２は、サブフレーム（ＳＦ）１のＣＷ０とＣＷ１、及び、ＳＦ２のＣＷ０に対する誤り検出結果（合計３ビット）を１ビットにバンドリングし、ＳＦ２のＣＷ１、及び、ＳＦ３のＣＷ０とＣＷ１に対する誤り検出結果（合計３ビット）を他の１ビットにバンドリングし、残りのＳＦ４のＣＷ０とＣＷ１に対する誤り検出結果（合計２ビット）を残りの１ビットにバンドリングする方法を採ってもよい。
【０１８９】
これにより、図１７では、バンドリング率（バンドリング前の誤り検出結果のビット数に対するバンドリング後の誤り検出結果のビット数の割合）は、ＰＣｅｌｌでは、０．５（＝１／２）となり、ＳＣｅｌｌでは、０．３７５（＝３／８）となる。また、単位バンド間のバンドリング率の差分は、０．５−０．３７５＝０．１２５となる。
【０１９０】
図１８は、上述したＰＣｅｌｌでＭ＝１（ＭＩＭＯ）、ＳＣｅｌｌでＭ＝４の組み合わせ以外の他のＭの値の組み合わせも含むバンドリングの方法を示す。図１８に示すように、各単位バンドのバンドリング前の誤り検出結果のビット数の和がＳｔｅｐ３でマッピングに用いるビット数よりも多い場合、応答信号生成部２１２は、バンドリング（つまり、Ｓｔｅｐ１及びＳｔｅｐ２）を行う。
【０１９１】
Ｓｔｅｐ３でマッピングに用いるビット数は、例えば、図１８に示す空間バンドリング及び時間領域バンドリング前の誤り検出結果のビット数が４ビット以上の場合は、４ビットである。同様に、Ｓｔｅｐ３でマッピングに用いるビット数は、図１８に示す空間バンドリング及び時間領域バンドリング前の誤り検出結果のビット数が３ビットの場合は、そのまま３ビットであり、図１８に示す空間バンドリング及び時間領域バンドリング前の誤り検出結果のビット数が２ビットの場合もそのまま２ビットである。ただし、図１８に示すように、一方がＭ＝１（ｎｏｎ−ＭＩＭＯ）であり、他方がＭ＝２、Ｍ＝３又はＭ＝４の場合、Ｓｔｅｐ３でマッピングに用いるビット数は３ビットである。ただし、一方がＭ＝１（ｎｏｎ−ＭＩＭＯ）であり、他方がＭ＝２、Ｍ＝３又はＭ＝４の場合、Ｓｔｅｐ３でマッピングに用いるビット数を４ビットとしてもよい。この場合は、Ｍ＝１（ｎｏｎ−ＭＩＭＯ）の単位バンドに対するビット数配分を１ビット、Ｍ＝２、Ｍ＝３又はＭ＝４の単位バンドに対するビット数配分を３ビットとする。
【０１９２】
このようにして、本実施の形態では、端末２００は、バンドリング率が各単位バンドで均等にすることで、実施の形態１と同様、複数の単位バンドのうち一部の単位バンドにおいて、基地局１００で判定できる誤り検出結果の検出精度が悪くなることを回避することができる。これにより、例えば、優先度のより高い単位バンドに対するＡＣＫ／ＮＡＣＫ情報がバンドリングによって欠落してしまうことを低減できる。よって、本実施の形態によれば、端末２００に設定された単位バンド全体においてＡＣＫ／ＮＡＣＫ情報の伝送効率を向上させることができる。
【０１９３】
よって、本実施の形態によれば、実施の形態１と同様、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果をバンドリングすることにより、誤り検出結果を正しく送受信することができる。
【０１９４】
（実施の形態４）
本実施の形態において、端末２００（図１０）が、基地局１００（図９）へ通知する誤り検出結果のビット数を、バンドリング前の各ＣＣの誤り検出結果のビット数（ＣＣ間のビット数の比率）に基づいて決定する点は実施の形態３と同様である。実施の形態３では、端末２００は、各ＣＣで個別にバンドリングすることによって、バンドリング率がＣＣ間で均等になるように配分する。これに対して、本実施の形態では、端末２００が、バンドリング（空間領域、時間領域及び周波数領域）を全ＣＣに渡って行うことによって、バンドリング率がＣＣ間で均等になるようにする点が実施の形態３と異なる。
【０１９５】
具体的には、端末２００の応答信号生成部２１２は、バンドリング前の全ＣＣの誤り検出結果のビット数が、図６（ａ）のＳｔｅｐ３でマッピングするビット数（ＡＣＫ／ＮＡＣＫ信号のビット数）となるように、空間領域、時間領域及び周波数領域のバンドリングを行う。
【０１９６】
以下では、一例として、実施の形態１（図１１）と同様、図１９に示すように、２つのＣＣ（１つのＰＣｅｌｌ、１つのＳＣｅｌｌ）が端末２００に設定されている場合について説明する。また、図１９に示すように、ＰＣｅｌｌにはＭ＝１が設定され、ＳＣｅｌｌにはＭ＝４が設定されている。また、図１９では、ＰＣｅｌｌのＣＷ０に対する誤り検出結果は、ＡＣＫ（Ａ）であり、ＰＣｅｌｌのＣＷ１に対する誤り検出結果は、ＮＡＣＫ（Ｎ）である。また、図１９では、ＳＣｅｌｌのＣＷ０に対する誤り検出結果は、サブフレーム（ＳＦ）１，２，３，４の順に、「ＡＣＫ，ＡＣＫ，ＡＣＫ，ＡＣＫ」である。また、図１９では、ＳＣｅｌｌのＣＷ１に対する誤り検出結果は、サブフレーム（ＳＦ）１，２，３，４の順に、「ＡＣＫ，ＮＡＣＫ，ＡＣＫ，ＡＣＫ」である。
【０１９７】
以下、応答信号生成部２１２に「おける空間領域、時間領域及び周波数領域のバンドリング」について説明する。
【０１９８】
（空間領域、時間領域及び周波数領域バンドリング）
応答信号生成部２１２は、バンドリング前の各単位バンドのビット総数が、誤り検出結果の通知用ビット数（ＡＣＫ／ＮＡＣＫ信号のビット数）よりも多い場合、バンドリングを行う。
【０１９９】
図１９では、バンドリング前、ＰＣｅｌｌの誤り検出結果は２ビットであり、ＳＣｅｌｌの誤り検出結果は８ビットであり、合計で１０ビットになる。また、図１５（ＰＣｅｌｌがＭ＝１（ＭＩＭＯ）、ＳＣｅｌｌがＭ＝４）では、ＡＣＫ／ＮＡＣＫ信号は４ビットで送信される。そこで、応答信号生成部２１２は、バンドリング前の１０ビットを４ビットのマッピングテーブルにマッピングするために、空間領域、時間領域及び周波数領域のバンドリングをＰＣｅｌｌ及びＳＣｅｌｌに渡って行う。
【０２００】
具体的には、図１９では、応答信号生成部２１２は、バンドリング前のＰＣｅｌｌ及びＳＣｅｌｌの誤り検出結果（合計１０ビット）に対して、空間領域、時間領域及び周波数のバンドリングをＰＣｅｌｌ及びＳＣｅｌｌに渡って行う。すなわち、図１９では、応答信号生成部２１２は、１０ビットから４ビットにバンドリングするバンドリング方法を用いて、空間領域、時間領域及び周波数領域のバンドリングを行う。
【０２０１】
ここで、１０ビットから４ビットへの空間領域、時間領域及び周波数領域のバンドリング方法の一例として次の方法がある。例えば、図１９において、応答信号生成部２１２は、ＰＣｅｌｌのサブフレーム（ＳＦ）１のＣＷ０とＣＷ１、及び、ＳＣｅｌｌのＳＦ１のＣＷ０に対する誤り検出結果（合計３ビット）を１ビットにバンドリングし、ＳＣｅｌｌのＳＦ１のＣＷ１、及び、ＳＣｅｌｌのＳＦ２のＣＷ０とＣＷ１に対する誤り検出結果（合計３ビット）を１ビットにバンドリングし、ＳＣｅｌｌのＳＦ３のＣＷ０とＣＷ１に対する誤り検出結果（合計２ビット）を１ビットにバンドリングし、ＳＣｅｌｌのＳＦ４のＣＷ０とＣＷ１に対する誤り検出結果（合計２ビット）を１ビットにバンドリングしてもよい。
【０２０２】
これにより、図１９では、バンドリング率（バンドリング前の誤り検出結果のビット数に対するバンドリング後の誤り検出結果のビット数の割合）は、ＰＣｅｌｌで０．４（＝（２／１０）×４）／２＝０．４となり、ＳＣｅｌｌで０．４（＝（８／１０）×４）／８）となり、単位バンド間で、完全に平滑化されていることがわかる。換言すると、ＡＣＫ／ＮＡＣＫ信号のビット数における、ＰＣｅｌｌの誤り検出結果に対応するビット数（０．８ビット）とＳＣｅｌｌの誤り検出結果に対応するビット数（３．２ビット）との比率（１：４）は、空間バンドリング直後のＰＣｅｌｌにおける誤り検出結果のビット数（１ビット）と、空間バンドリング直後のＳＣｅｌｌにおける誤り検出結果のビット数（４ビット）との比率（１：４）と同一である。すなわち、本実施の形態（図１９）では、実施の形態３で示したバンドリング方法（単位バンド間のバンドリング率の差分：０．１２５）よりも、単位バンド間のバンドリング率をより平滑化することができる。
【０２０３】
図２０は、上述したＰＣｅｌｌでＭ＝１（ＭＩＭＯ）、ＳＣｅｌｌでＭ＝４の組み合わせ以外の他のＭの値の組み合わせも含むバンドリングの方法を示す。図２０に示すように、各単位バンドのバンドリング前の誤り検出結果のビット数の和が、Ｓｔｅｐ３でマッピングに用いるビット数（ＡＣＫ／ＮＡＣＫ信号のビット数）よりも多い場合、応答信号生成部２１２は、空間領域、時間領域及び周波数領域のバンドリング（つまり、Ｓｔｅｐ１及びＳｔｅｐ２）を行う。
【０２０４】
Ｓｔｅｐ３でマッピングに用いるビット数は、例えば、図２０に示す空間領域、時間領域及び周波数領域のバンドリング前の誤り検出結果のビット数が４ビット以上の場合は、４ビットである。同様に、Ｓｔｅｐ３でマッピングに用いるビット数は、図２０に示す空間領域、時間領域及び周波数領域のバンドリング前の誤り検出結果のビット数が３ビットの場合は、そのまま３ビットであり、図２０に示す空間領域、時間領域及び周波数領域のバンドリング前の誤り検出結果のビット数が２ビットの場合もそのまま２ビットである。ただし、図２０に示すように、一方がＭ＝１（ｎｏｎ−ＭＩＭＯ）であり、他方がＭ＝２、Ｍ＝３又はＭ＝４の場合、Ｓｔｅｐ３でマッピングに用いるビット数は３ビットである。ただし、一方がＭ＝１（ｎｏｎ−ＭＩＭＯ）であり、他方がＭ＝２、Ｍ＝３又はＭ＝４の場合、Ｓｔｅｐ３でマッピングに用いるビット数を４ビットとしてもよい。
【０２０５】
このようにして、本実施の形態では、端末２００は、バンドリング率が各単位バンドで均等にすることで、実施の形態１と同様、複数の単位バンドのうち一部の単位バンドにおいて、基地局１００で判定できる誤り検出結果の検出精度が悪くなることを回避することができる。これにより、例えば、優先度のより高い単位バンドに対するＡＣＫ／ＮＡＣＫ情報がバンドリングによって欠落してしまうことを低減できる。よって、本実施の形態によれば、端末２００に設定された単位バンド全体においてＡＣＫ／ＮＡＣＫ情報の伝送効率を向上させることができる。
【０２０６】
よって、本実施の形態によれば、実施の形態１と同様、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果をバンドリングすることにより、誤り検出結果を正しく送受信することができる。
【０２０７】
（実施の形態５）
図２１は、図７と同様、単位バンド間でUL-DL Configurationを同じにした場合の、各単位バンドにおけるＭの値と、バンドリング方法と、誤り検出結果の通知用ビット数とを示す（図２１に示す対角方向の部分）。更に、図２１は、単位バンド毎にUL-DL Configurationが異なる場合に、単位バンド間でＵＬサブフレームタイミングが一致した場合の、各単位バンドにおけるＭの値と、バンドリング方法と、誤り検出結果の通知用ビット数とを示す（図２１の左下部分）。
【０２０８】
なお、図２１の右上部分は、左下部分の組合せのＣＣ＃１とＣＣ＃２とを入れ替えただけであるので記載を省略している。
【０２０９】
図２１（又は図７）に示すように、単位バンド間でUL-DL Configurationを同じにした場合、バンドリング方法、及び、誤り検出結果の通知用ビット数は、単位バンド毎に独立に設定される。そこで、本実施の形態では、端末２００（図１０）は、図２１に示すように、単位バンド毎にUL-DL Configurationが異なる場合も同様にして、バンドリング方法及び誤り検出結果の通知用ビット数を、単位バンド毎に独立に設定する。
【０２１０】
具体的には、図２１（又は図７）において、単位バンド間でUL-DL Configurationを同じにした場合には、Ｍ＝１（ＭＩＭＯ）、Ｍ＝２，３，４のいずれにおいても、単位バンド毎のバンドリング後の誤り検出結果のビット数はそれぞれ２ビットである。そこで、本実施の形態では、図２１に示すように、単位バンド毎にUL-DL Configurationが異なる場合も同様にして、Ｍ＝１（ＭＩＭＯ）、Ｍ＝２，３，４のいずれにおいても、バンドリング後の誤り検出結果のビット数はそれぞれ２ビットとする。また、図２１に示すように、Ｍ＝１（ｎｏｎ−ＭＩＭＯ）である場合には、バンドリング後の誤り検出結果のビット数は１ビットとする。
【０２１１】
これにより、図２１に示すように、バンドリング前の各単位バンドの誤り検出結果の合計が４ビット（ＡＣＫ／ＮＡＣＫ信号のビット数）より多い場合には空間バンドリング（図６（ａ）のＳｔｅｐ１。実線で囲まれた部分）が行われる。また、図２１に示すように、空間バンドリング後の各単位バンドの誤り検出結果が２ビット（＝４ビット（ＡＣＫ／ＮＡＣＫ信号のビット数）／２ＣＣ）より多い場合には、更に時間領域バンドリング（図６（ａ）のＳｔｅｐ２。破線で囲まれた部分）が行われる。
【０２１２】
以下では、一例として、実施の形態１（図１１）と同様、図２２に示すように、２つのＣＣ（１つのＰＣｅｌｌ、１つのＳＣｅｌｌ）が端末２００に設定されている場合について説明する。また、図２２に示すように、ＰＣｅｌｌにはＭ＝１が設定され、ＳＣｅｌｌにはＭ＝４が設定されている。また、図２２では、ＰＣｅｌｌのＣＷ０に対する誤り検出結果は、ＡＣＫ（Ａ）であり、ＰＣｅｌｌのＣＷ１に対する誤り検出結果は、ＮＡＣＫ（Ｎ）である。また、図２２では、ＳＣｅｌｌのＣＷ０に対する誤り検出結果は、サブフレーム（ＳＦ）１，２，３，４の順に、「ＡＣＫ，ＡＣＫ，ＡＣＫ，ＡＣＫ」である。また、図２２では、ＳＣｅｌｌのＣＷ１に対する誤り検出結果は、サブフレーム（ＳＦ）１，２，３，４の順に、「ＡＣＫ，ＮＡＣＫ，ＡＣＫ，ＡＣＫ」である。また、図２２（ＰＣｅｌｌがＭ＝１（ＭＩＭＯ）、ＳＣｅｌｌがＭ＝４）では、各単位バンドの誤り検出結果はそれぞれ２ビットで送信される。
【０２１３】
図２２に示すように、Ｍ＝１（ＭＩＭＯ）のＰＣｅｌｌでは、端末２００の応答信号生成部２１２（図１０）は、２ビットの誤り検出結果に対してバンドリングを行わない。つまり、端末２００は、ＰＣｅｌｌの２ビットの誤り検出結果を、そのままマッピング（Ｓｔｅｐ３）する。
【０２１４】
一方、図２２に示すように、Ｍ＝４（ＭＩＭＯ）のＳＣｅｌｌでは、応答信号生成部２１２は、バンドリング前の８ビットの誤り検出結果に対して、空間バンドリング（Ｓｔｅｐ１）及び時間領域バンドリング（Ｓｔｅｐ２）を行う。これにより、端末２００は、バンドリングにより得られた２ビットの誤り検出結果（ＮＡＣＫ，ＮＡＣＫ）を、マッピング（Ｓｔｅｐ３）する。
【０２１５】
すなわち、図２２では、端末２００は、ＰＣｅｌｌの２ビットの誤り検出結果（ＡＣＫ，ＮＡＣＫ）及びＳＣｅｌｌの２ビットの誤り検出結果（ＮＡＣＫ，ＮＡＣＫ）の合計４ビット（ＡＣＫ，ＮＡＣＫ，ＮＡＣＫ，ＮＡＣＫ）を、マッピングテーブルに基づいてマッピングする。
【０２１６】
図２２では、バンドリング率（バンドリング前の誤り検出結果のビット数に対する、バンドリング後の誤り検出結果のビット数の比）は、ＰＣｅｌｌで１．０（＝２／２）となり、ＳＣｅｌｌで０．２５（＝２／８）となる。
【０２１７】
以上のように、本実施の形態では、単位バンド毎にUL-DL Configurationが異なる場合のバンドリング方法を示した。
【０２１８】
このようにして、本実施の形態によれば、実施の形態１と同様、上り単位バンド及び上り単位バンドと対応づけられた複数の下り単位バンドを使用した通信においてＡＲＱが適用される場合、かつ、単位バンド毎に設定されるUL-DL Configuration（ＵＬサブフレームとＤＬサブフレームとの割合）が異なる場合において、複数の誤り検出結果をバンドリングすることにより、誤り検出結果を正しく送受信することができる。
【０２１９】
更に、本実施の形態では、単位バンド毎に設定されるUL-DL Configurationが異なる場合におけるバンドリング方法は、従来（単位バンド間でUL-DL Configurationが同一の場合）と同様にして設定される。すなわち、単位バンド毎に独立にバンドリング処理が行われる。これにより、本実施の形態によれば、端末２００において、従来からの回路構成の増加を少なく抑えることができる。
【０２２０】
また、本実施の形態では、Ｍ＝１（ｎｏｎ−ＭＩＭＯ）の単位バンドとＭ＝２、Ｍ＝３又はＭ＝４の単位バンドの組合せにおいて、誤り検出結果の通知用ビット数を、Ｍ＝２、Ｍ＝３又はＭ＝４の単位バンド当りのビット数に合わせて４ビットとせずに、単位バンド毎に独立なビット数から誤り検出結果の通知用ビット数を決定する（この場合３ビット）。これによって、誤り検出結果の通知用ビット数の増加に伴うＰＵＣＣＨリソース（Ａ／Ｎリソース）の増加を抑制しつつ、単位バンド毎のバンドリング率を、従来（単位バンド間でUL-DL Configurationが同一の場合）と同等に保つことができる。よって、本実施の形態によれば、基地局における、単位バンド毎の誤り検出結果の検出精度を従来と同等に維持できる。
【０２２１】
以上、本発明の各実施の形態について説明した。
【０２２２】
実施の形態１及び実施の形態２では、端末が、基地局へ通知する誤り検出結果のビット数を、空間バンドリング後の各ＣＣの誤り検出結果のビット数に基づいてビット配分する場合について説明した。また、実施の形態３及び実施の形態４では、端末が、基地局へ通知する誤り検出結果のビット数を、バンドリング前の各ＣＣの誤り検出結果のビット数に基づいてビット配分する場合について説明した。すなわち、実施の形態１〜４では、誤り検出結果のビットの配分基準として、誤り検出結果のビット数を用いる場合について説明した。これは、誤り検出結果のビット数が多いほど、より多くの誤り検出結果を少ないビット数にまとめられる（バンドリングされる）ので、或る誤り検出結果がＡＣＫであっても、他の誤り検出結果がＮＡＣＫとなり、結果として基地局へはＮＡＣＫが通知される可能性が高くなるためである。すなわち、端末は、誤り検出結果のビット数が多い単位バンドに対して、優先して誤り検出結果のビット配分を行う。しかし、誤り検出結果のビットの配分基準は、これらに限定されない。以下、誤り検出結果のビットの他の配分基準について説明する。
【０２２３】
他の配分基準の一例として、１フレーム当たりのＤＬサブフレーム数がある。例えば、図３に示すUL-DL Configurationにおいて、Config 2（１２個）よりもConfig 0（４個）の方が、１フレーム当たりのＤＬサブフレーム（Ｄ）の数が少ない。そのため、Config 2よりもConfig 0の方が、下り回線通信データの再送を行う機会が少なくなる。したがって、端末は、１フレーム当たりのＤＬサブフレーム数が少ないUL-DL Configurationが設定された単位バンドに対する誤り検出結果に対して、優先してビット配分を行ってもよい。すなわち、端末は、１フレーム当たりのＤＬサブフレーム数が少ないUL-DL Configurationが設定された単位バンドほど、より多くの誤り検出結果のビット配分を行う。
【０２２４】
他の配分基準の一例として、干渉量の大きさがある。干渉量の大きい単位バンドでは、誤りが発生しやすいため、ＮＡＣＫを通知する可能性が高くなる。したがって、端末は、干渉量の大きい単位バンドに対して、優先して誤り検出結果のビット配分を行ってもよい。すなわち、端末は、干渉量の大きい単位バンドほど、より多くの誤り検出結果のビット配分を行う。
【０２２５】
他の配分基準の一例として、無線通信システムの許容遅延量の大きさがある。例えば、ＧＳＭ（登録商標）帯よりもＬＴＥ帯の方が、低遅延を要求される。このため、ＬＴＥ帯の方が、ＧＳＭ（登録商標）帯よりも、再送に対する要求性能が高くなる。したがって、端末は、低遅延が求められるＬＴＥ帯の単位バンドに対して、優先して誤り検出結果のビット配分を行ってもよい。すなわち、端末は、ＧＳＭ（登録商標）帯の単位バンドよりも、ＬＴＥ帯の単位バンドに対して、より多くの誤り検出結果のビット配分を行う。
【０２２６】
さらに、端末は、設定により、上記の配分基準を切替可能であってもよい。
【０２２７】
また、上記実施の形態では、異なるUL-DL Configurationが設定されたＣＣ間において、フレーム開始位置が一致する場合について説明した。しかし、本発明はこれに限定されず、単位バンド間でＵＬサブフレームタイミングが一致する場合があれば、フレーム開始位置がずれていても適用可能である。例えば、図２３に示すように、ＰＣｅｌｌにConfig 0が設定され、ＳＣｅｌｌにConfig 3が設定され、かつ、ＰＣｅｌｌに対するＳＣｅｌｌのサブフレームオフセットが３サブフレーム分であるとき、ＰＣｅｌｌにおけるサブフレーム＃７において、本発明が適用可能である。
【０２２８】
また、上記実施の形態では、単位バンド間でＵＬサブフレームタイミングが一致する場合のバンドリング方法について説明した。しかし、端末は、ＵＬサブフレームタイミングが一致していない場合には、ＰＣｅｌｌ及びＳＣｅｌｌの誤り検出結果を、常にＰＣｅｌｌから通知してもよいし、ＰＣｅｌｌの誤り検出結果をＰＣｅｌｌから通知し、ＳＣｅｌｌの誤り検出結果をＳＣｅｌｌから通知してもよい。
【０２２９】
なお、上記実施の形態では、各アンテナとして説明したが、本発明はアンテナポート（antenna port）でも同様に適用できる。
【０２３０】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２３１】
例えばLTEにおいては、アンテナポートが何本の物理アンテナから構成されるかは規定されず、基地局が異なる参照信号（Reference signal）を送信できる最小単位として規定されている。
【０２３２】
また、アンテナポートはプリコーディングベクトル（Precoding vector）の重み付けを乗算する最小単位として規定されることもある。
【０２３３】
また、上記実施の形態では、本発明をハードウェアで構成する場合を例にとって説明したが、本発明はハードウェアとの連携においてソフトウェアで実現することも可能である。
【０２３４】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２３６】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２３７】
２０１１年６月３日出願の特願２０１１−１２５２４１の日本出願に含まれる明細書、図面および要約書の開示内容は、すべて本願に援用される。
【産業上の利用可能性】
【０２３８】
本発明は、移動通信システム等に有用である。
【符号の説明】
【０２３９】
１００  基地局
２００  端末
１０１，２０８  制御部
１０２  制御情報生成部
１０３，１０５  符号化部
１０４，１０７  変調部
１０６  データ送信制御部
１０８  マッピング部
１０９，２１８  ＩＦＦＴ部
１１０，２１９  ＣＰ付加部
１１１，２２２  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８  Ａ／Ｎ判定部
１１９  束Ａ／Ｎ逆拡散部
１２０  ＩＤＦＴ部
１２１  束Ａ／Ｎ判定部
１２２  再送制御信号生成部
２０３  ＦＦＴ部
２０４  抽出部
２０５，２０９  復調部
２０６，２１０  復号部
２０７  判定部
２１１  ＣＲＣ部
２１２  応答信号生成部
２１３  符号化・変調部
２１４  １次拡散部
２１５  ２次拡散部
２１６  ＤＦＴ部
２１７  拡散部
２２０  時間多重部
２２１  選択部
【図１】
0005871917.tif 000002
【図２】
0005871917.tif 000003
【図３】
0005871917.tif 000004
【図４】
0005871917.tif 000005
【図５】
0005871917.tif 000006
【図６】
0005871917.tif 000007
【図７】
0005871917.tif 000008
【図８】
0005871917.tif 000009
【図９】
0005871917.tif 000010
【図１０】
0005871917.tif 000011
【図１１】
0005871917.tif 000012
【図１２】
0005871917.tif 000013
【図１３】
0005871917.tif 000014
【図１４】
0005871917.tif 000015
【図１５】
0005871917.tif 000016
【図１６】
0005871917.tif 000017
【図１７】
0005871917.tif 000018
【図１８】
0005871917.tif 000019
【図１９】
0005871917.tif 000020
【図２０】
0005871917.tif 000021
【図２１】
0005871917.tif 000022
【図２２】
0005871917.tif 000023
【図２３】
0005871917.tif 000024